(57)【特許請求の範囲】
【請求項１】
ＷＬＡＮ（ｗｉｒｅｌｅｓｓ  ｌｏｃａｌ  ａｒｅａ  ｎｅｔｗｏｒｋ）におけるパイロットトーンを含むリソース単位上でデータを送信する方法であって、前記方法は、
ＡＰ（ａｃｃｅｓｓ  ｐｏｉｎｔ）によって、帯域幅上で複数のＳＴＡ（ｓｔａｔｉｏｎ）と通信するための複数のリソース単位をスケジューリングすることであって、前記複数のリソース単位は、ＢＴＵ（ｂａｓｉｃ  ｔｏｎｅ  ｕｎｉｔ）及びＳＴＵ（ｓｍａｌｌ  ｔｏｎｅ  ｕｎｉｔ）のうちの少なくとも１つを含み、各ＳＴＵは、２６トーンを含み、各ＢＴＵは、２６トーンより大きいトーンの数を含む、ことと、
前記ＡＰによって、前記複数のリソース単位を介して前記複数のＳＴＡにダウンリンクデータを送信することと
を含み、
前記複数のリソース単位における偶数パイロットトーンの位置は、仮想割当リソース単位におけるパイロットトーンの位置に属し、
前記仮想割当リソース単位は、少なくとも１つのＢＴＵと少なくとも１つのＳＴＵとの組み合わせに対応し、
前記仮想割当リソース単位において、各ＢＴＵは、４個のパイロットトーンを含み、各ＳＴＵは、２個のパイロットトーンを含み、
前記仮想割当リソース単位における１つのＢＴＵが前記仮想割当リソース単位における２つのＳＴＵに代替構成される場合、前記仮想割当リソース単位におけるパイロットトーンの位置は、固定される、方法。
【請求項２】
前記帯域幅が２０ＭＨｚに設定されている場合、前記仮想割当リソース単位は、２４２トーンに対応する、請求項１に記載の方法。
【請求項３】
前記ダウンリンクデータは、ＰＰＤＵ（ｐｈｙｓｉｃａｌ  ｌａｙｅｒ  ｐｒｏｔｏｃｏｌ  ｄａｔａ  ｕｎｉｔ）内に含まれ、前記複数のリソース単位の割当位置は、前記ＰＰＤＵのＰＰＤＵヘッダに含まれるシグナルフィールドによってシグナリングされる、請求項１に記載の方法。
【請求項４】
ＷＬＡＮ（ｗｉｒｅｌｅｓｓ  ｌｏｃａｌ  ａｒｅａ  ｎｅｔｗｏｒｋ）におけるパイロットトーンを含むリソース単位上でデータを送信するＡＰ（ａｃｃｅｓｓ  ｐｏｉｎｔ）であって、前記ＡＰは、
無線信号を送信及び受信するＲＦ（ｒａｄｉｏ  ｆｒｅｑｕｅｎｃｙ）部と、
前記ＲＦ部と動作可能なように結合されたプロセッサと
を含み、
前記プロセッサは、
帯域幅上で複数のＳＴＡ（ｓｔａｔｉｏｎ）と通信するための複数のリソース単位をスケジューリングすることであって、前記複数のリソース単位は、ＢＴＵ（ｂａｓｉｃ  ｔｏｎｅ  ｕｎｉｔ）及びＳＴＵ（ｓｍａｌｌ  ｔｏｎｅ  ｕｎｉｔ）のうちの少なくとも１つを含み、各ＳＴＵは、２６トーンを含み、各ＢＴＵは、２６トーンより大きいトーンの数を含む、ことと、
前記複数のリソース単位を介して前記複数のＳＴＡにダウンリンクデータを送信することと
を実行するように構成され、
前記複数のリソース単位における偶数パイロットトーンの位置は、仮想割当リソース単位におけるパイロットトーンの位置に属し、
前記仮想割当リソース単位は、少なくとも１つのＢＴＵと少なくとも１つのＳＴＵとの組み合わせに対応し、
前記仮想割当リソース単位において、各ＢＴＵは、４個のパイロットトーンを含み、各ＳＴＵは、２個のパイロットトーンを含み、
前記仮想割当リソース単位における１つのＢＴＵが前記仮想割当リソース単位における２つのＳＴＵに代替構成される場合、前記仮想割当リソース単位におけるパイロットトーンの位置は、固定される、ＡＰ。
【請求項５】
前記帯域幅が２０ＭＨｚに設定されている場合、前記仮想割当リソース単位は、２４２トーンに対応する、請求項４に記載のＡＰ。
【請求項６】
前記ダウンリンクデータは、ＰＰＤＵ（ｐｈｙｓｉｃａｌ  ｌａｙｅｒ  ｐｒｏｔｏｃｏｌ  ｄａｔａ  ｕｎｉｔ）内に含まれ、前記複数のリソース単位の割当位置は、前記ＰＰＤＵのＰＰＤＵヘッダに含まれるシグナルフィールドによってシグナリングされる、請求項４に記載のＡＰ。
【発明の詳細な説明】
【技術分野】
【０００１】
本発明は、無線通信に関し、より詳しくは、無線ＬＡＮにおけるパイロットトーンを含むリソース単位上でデータを送信する方法及び装置に関する。
【背景技術】
【０００２】
次世代ＷＬＡＮ（ｗｉｒｅｌｅｓｓ  ｌｏｃａｌ  ａｒｅａ  ｎｅｔｗｏｒｋ）のための議論が進行している。次世代ＷＬＡＮでは、１）２．４ＧＨｚ及び５ＧＨｚ帯域でＩＥＥＥ（ｉｎｓｔｉｔｕｔｅ  ｏｆ  ｅｌｅｃｔｒｏｎｉｃ  ａｎｄ  ｅｌｅｃｔｒｏｎｉｃｓ  ｅｎｇｉｎｅｅｒｓ）８０２．１１ＰＨＹ（ｐｈｙｓｉｃａｌ）階層とＭＡＣ（ｍｅｄｉｕｍ  ａｃｃｅｓｓ  ｃｏｎｔｒｏｌ）階層の向上、２）スペクトラム効率性（ｓｐｅｃｔｒｕｍ  ｅｆｆｉｃｉｅｎｃｙ）と領域スループット（ａｒｅａ  ｔｈｒｏｕｇｈｐｕｔ）を高めること、３）干渉ソースが存在する環境、密集した異種ネットワーク（ｈｅｔｅｒｏｇｅｎｅｏｕｓ  ｎｅｔｗｏｒｋ）環境及び高いユーザ負荷が存在する環境のような実際室内環境及び室外環境で性能を向上させることを目標とする。
【０００３】
次世代ＷＬＡＮで主に考慮される環境は、ＡＰ（ａｃｃｅｓｓ  ｐｏｉｎｔ）とＳＴＡ（ｓｔａｔｉｏｎ）が多い密集環境であり、このような密集環境でスペクトラム効率（ｓｐｅｃｔｒｕｍ  ｅｆｆｉｃｉｅｎｃｙ）と空間スループット（ａｒｅａ  ｔｈｒｏｕｇｈｐｕｔ）に対する改善が論議される。また、次世代ＷＬＡＮでは室内環境だけでなく、既存ＷＬＡＮであまり考慮されていなかった室外環境での実質的な性能改善に関心を有する。
【０００４】
具体的に、次世代ＷＬＡＮでは無線オフィス（ｗｉｒｅｌｅｓｓ  ｏｆｆｉｃｅ）、スマートホーム（ｓｍａｒｔ  ｈｏｍｅ）、スタジアム（Ｓｔａｄｉｕｍ）、ホットスポット（Ｈｏｔｓｐｏｔ）、ビル／アパート（ｂｕｉｌｄｉｎｇ／ａｐａｒｔｍｅｎｔ）のようなシナリオに関心が大きくて、該当シナリオに基づいてＡＰとＳＴＡが多い密集環境でのシステム性能向上に対する議論が進行している。
【０００５】
また、次世代ＷＬＡＮでは一つのＢＳＳ（ｂａｓｉｃ  ｓｅｒｖｉｃｅ  ｓｅｔ）での単一リンク性能向上よりは、ＯＢＳＳ（ｏｖｅｒｌａｐｐｉｎｇ  ｂａｓｉｃ  ｓｅｒｖｉｃｅ  ｓｅｔ）環境でのシステム性能向上及び室外環境性能改善、そしてセルラーオフローディングなどに対する議論が活発になると予想される。このような次世代ＷＬＡＮの方向性は、次世代ＷＬＡＮが益々移動通信と類似の技術範囲を有するようになることを意味する。最近、スモールセル及びＤ２Ｄ（Ｄｉｒｅｃｔ−ｔｏ−Ｄｉｒｅｃｔ）通信領域で移動通信とＷＬＡＮ技術が共に論議されている状況を考慮してみる時、次世代ＷＬＡＮと移動通信の技術的及び事業的な融合は、一層活発になると予測される。
【発明の概要】
【発明が解決しようとする課題】
【０００６】
本発明の目的は、無線ＬＡＮにおけるパイロットトーンを含むリソース単位上でデータを送信する方法を提供することにある。
【０００７】
本発明の他の目的は、無線ＬＡＮにおけるパイロットトーンを含むリソース単位上でデータを送信する方法を実行する無線装置を提供することにある。
【課題を解決するための手段】
【０００８】
前述した本発明の目的を達成するための本発明の一側面による、無線ＬＡＮにおけるパイロットトーンを含むリソース単位上でデータを送信する方法は、ＡＰ（ａｃｃｅｓｓ  ｐｏｉｎｔ）が帯域幅上で複数のＳＴＡ（ｓｔａｔｉｏｎ）と通信のための複数の無線リソースの各々をスケジューリングするステップと、前記ＡＰが前記複数の無線リソースの各々を介して前記複数のＳＴＡの各々に複数のダウンリンクデータの各々を送信するステップと、を含み、前記複数の無線リソースのうち少なくとも一つの無線リソースは、仮想割当リソース単位であり、前記仮想割当リソース単位は、一つのインターリーバによりインターリービングが可能な複数のデータトーンを含む少なくとも一つの第１のリソース単位及び少なくとも一つの第２のリソース単位の組み合わせであり、前記仮想割当リソース単位に含まれる複数の第１のパイロットトーンの位置のセットは、前記少なくとも一つの第１のリソース単位及び前記少なくとも一つの第２のリソース単位に含まれる複数の第２のパイロットトーンの位置のセットに含まれる。
【０００９】
前述した本発明の目的を達成するための本発明の他の側面による、無線ＬＡＮにおけるパイロットトーンを含むリソース単位上でデータを送信するＡＰ（ａｃｃｅｓｓ  ｐｏｉｎｔ）は、無線信号を送信及び受信するＲＦ（ｒａｄｉｏ  ｆｒｅｑｕｅｎｃｙ）部及び前記ＲＦ部と動作可能なように（ｏｐｅｒａｔｉｖｅｌｙ）結合されたプロセッサを含み、前記プロセッサは、帯域幅上で複数のＳＴＡ（ｓｔａｔｉｏｎ）と通信のための複数の無線リソースの各々をスケジューリングし、前記複数の無線リソースの各々を介して前記複数のＳＴＡの各々に複数のダウンリンクデータの各々を送信するように具現され、前記複数の無線リソースのうち少なくとも一つの無線リソースは、仮想割当リソース単位であり、前記仮想割当リソース単位は、一つのインターリーバによりインターリービングが可能な複数のデータトーンを含む少なくとも一つの第１のリソース単位及び少なくとも一つの第２のリソース単位の組み合わせであり、前記仮想割当リソース単位に含まれる複数の第１のパイロットトーンの位置のセットは、前記少なくとも一つの第１のリソース単位及び前記少なくとも一つの第２のリソース単位に含まれる複数の第２のパイロットトーンの位置のセットに含まれる。
本発明は、例えば、以下を提供する。
（項目１）
無線ＬＡＮにおけるパイロットトーンを含むリソース単位上でデータを送信する方法は、ＡＰ（ａｃｃｅｓｓ  ｐｏｉｎｔ）が帯域幅上で複数のＳＴＡ（ｓｔａｔｉｏｎ）と通信のための複数の無線リソースの各々をスケジューリングするステップ；及び、
前記ＡＰが前記複数の無線リソースの各々を介して前記複数のＳＴＡの各々に複数のダウンリンクデータの各々を送信するステップ；を含み、
前記複数の無線リソースのうち少なくとも一つの無線リソースは、仮想割当リソース単位であり、
前記仮想割当リソース単位は、一つのインターリーバによりインターリービングが可能な複数のデータトーンを含む少なくとも一つの第１のリソース単位及び少なくとも一つの第２のリソース単位の組み合わせであり、
前記仮想割当リソース単位に含まれる複数の第１のパイロットトーンの位置のセットは、前記少なくとも一つの第１のリソース単位及び前記少なくとも一つの第２のリソース単位に含まれる複数の第２のパイロットトーンの位置のセットに含まれる方法。
（項目２）
前記少なくとも一つの第１のリソース単位の各々は、５２トーンのデータトーン及び４個の第２のパイロットトーンを含む５６トーンに対応されるＢＴＵ（ｂａｓｉｃ  ｔｏｎｅ  ｕｎｉｔ）であり、
前記４個の第２のパイロットトーンは、特定トーンを基準にして偶数番目に位置した２個の偶数インデックスパイロットトーン及び特定トーンを基準にして奇数番目に位置した２個の奇数インデックスパイロットトーンを含み、
前記少なくとも一つの第２のリソース単位の各々は、２４トーンのデータトーン及び２個の第２のパイロットトーンを含む２６トーンに対応されるＳＴＵ（ｓｍａｌｌ  ｔｏｎｅ  ｕｎｉｔ）であり、
前記２個の第２のパイロットトーンは、特定トーンを基準にして偶数番目に位置した１個の偶数インデックスパイロットトーン及び特定トーンを基準にして奇数番目に位置した１個の奇数インデックスパイロットトーンを含み、
前記複数の第１のパイロットトーンの位置は、前記少なくとも一つの第１のリソース単位の各々の前記２個の偶数インデックスパイロットトーンの位置及び前記少なくとも一つの第２のリソース単位のうち一つの第２のリソース単位を除外した残りの第２のリソース単位の各々の前記１個の偶数インデックスパイロットトーンの位置と同じであることを特徴とする項目１に記載の方法。
（項目３）
前記少なくとも一つの第１のリソース単位の各々は、５２トーンのデータトーン及び４個の第２のパイロットトーンを含む５６トーンに対応されるＢＴＵ（ｂａｓｉｃ  ｔｏｎｅ  ｕｎｉｔ）であり、
前記４個の第２のパイロットトーンは、特定トーンを基準にして偶数番目に位置した２個の偶数インデックスパイロットトーン及び特定トーンを基準にして奇数番目に位置した２個の奇数インデックスパイロットトーンを含み、
前記少なくとも一つの第２のリソース単位の各々は、２４トーンのデータトーン及び２個の第２のパイロットトーンを含む２６トーンに対応されるＳＴＵ（ｓｍａｌｌ  ｔｏｎｅ  ｕｎｉｔ）であり、
前記２個の第２のパイロットトーンは、特定トーンを基準にして偶数番目に位置した１個の偶数インデックスパイロットトーン及び特定トーンを基準にして奇数番目に位置した１個の奇数インデックスパイロットトーンを含み、
前記複数の第１のパイロットトーンの位置は、前記少なくとも一つの第１のリソース単位の各々の前記２個の奇数インデックスパイロットトーンの位置及び前記少なくとも一つの第２のリソース単位のうち一つの第２のリソース単位を除外した残りの第２のリソース単位の各々の前記１個の奇数インデックスパイロットトーンの位置と同じであることを特徴とする項目１に記載の方法。
（項目４）
前記仮想割当リソース単位を介してリソース未確定フィールドが送信される場合、前記複数の第１のパイロットトーンの位置と前記複数の第２のパイロットトーンの位置は、両方とも同じであり、
前記仮想割当リソース単位を介してリソース確定フィールドが送信される場合、前記複数の第１のパイロットトーンの位置と前記複数の第２のパイロットトーンの位置のうち一部の第２のパイロットトーンの位置が同じであり、
前記リソース未確定フィールドは、前記仮想割当リソース単位に対する割当情報を含むシグナルフィールドの以前に送信されるフィールドであり、
前記リソース確定フィールドは、前記シグナルフィールドの以後に送信されるフィールドであることを特徴とする項目１に記載の方法。
（項目５）
前記少なくとも一つの第１のリソース単位の各々は、５２トーンのデータトーン及び４個の第２のパイロットトーンを含む５６トーンに対応されるＢＴＵ（ｂａｓｉｃ  ｔｏｎｅ  ｕｎｉｔ）であり、
前記４個の第２のパイロットトーン間のパイロットトーンスペーシング（ｓｐａｃｉｎｇ）は、１４トーンであり、
前記少なくとも一つの第２のリソース単位の各々は、２４トーンのデータトーン及び２個の第２のパイロットトーンを含む２６トーンに対応されるＳＴＵ（ｓｍａｌｌ  ｔｏｎｅ  ｕｎｉｔ）であり、
前記２個の第２のパイロットトーン間のパイロットトーンスペーシングは、１４トーンであることを特徴とする項目１に記載の方法。
（項目６）
無線ＬＡＮにおけるパイロットトーンを含むリソース単位上でデータを送信する方法は、ＡＰ（ａｃｃｅｓｓ  ｐｏｉｎｔ）が帯域幅上で複数のＳＴＡ（ｓｔａｔｉｏｎ）と通信のための複数の無線リソースの各々をスケジューリングするステップ；及び、
前記ＡＰが前記複数の無線リソースの各々を介して前記複数のＳＴＡの各々に複数のダウンリンクデータの各々を送信するステップ；を含み、
前記複数の無線リソースのうち少なくとも一つの無線リソースは、仮想割当リソース単位であり、
前記仮想割当リソース単位は、一つのインターリーバによりインターリービングが可能な複数のデータトーンを含む複数のリソース単位の組み合わせであり、
前記仮想割当リソース単位に含まれる複数の第１のパイロットトーンの位置のセットは、前記複数のリソース単位に含まれる複数の第２のパイロットトーンの位置のセットに含まれる方法。
（項目７）
前記複数のリソース単位の各々は、２４トーンのデータトーン及び２個の第２のパイロットトーンを含む２６トーンに対応されるＳＴＵ（ｓｍａｌｌ  ｔｏｎｅ  ｕｎｉｔ）であり、
前記２個の第２のパイロットトーンは、特定トーンを基準にして偶数番目に位置した１個の偶数インデックスパイロットトーン及び特定トーンを基準にして奇数番目に位置した１個の奇数インデックスパイロットトーンを含み、
前記複数の第１のパイロットトーンの位置は、前記複数のリソース単位のうち一つのリソース単位を除外した残りのリソース単位の各々の前記１個の奇数インデックスパイロットトーンの位置と同じであることを特徴とする項目６に記載の方法。
（項目８）
前記複数のリソース単位の各々は、２４トーンのデータトーン及び２個の第２のパイロットトーンを含む２６トーンに対応されるＳＴＵ（ｓｍａｌｌ  ｔｏｎｅ  ｕｎｉｔ）であり、前記２個の第２のパイロットトーンは、特定トーンを基準にして偶数番目に位置した１個の偶数インデックスパイロットトーン及び特定トーンを基準にして奇数番目に位置した１個の奇数インデックスパイロットトーンを含み、
前記複数の第１のパイロットトーンの位置は、前記複数のリソース単位のうち一つのリソース単位を除外した残りのリソース単位の各々の前記１個の偶数インデックスパイロットトーンの位置と同じであることを特徴とする項目６に記載の方法。
（項目９）
前記複数のリソース単位は、９個のＳＴＵを含み、
前記一つのリソース単位は、周波数軸上で前記９個のＳＴＵのうち中央に位置した中央ＳＴＵであることを特徴とする項目８に記載の方法。
（項目１０）
前記複数のリソース単位の各々は、２４トーンのデータトーン及び２個の第２のパイロットトーンを含む２６トーンに対応されるＳＴＵ（ｓｍａｌｌ  ｔｏｎｅ  ｕｎｉｔ）であり、
前記２個の第２のパイロットトーン間のパイロットトーンスペーシングは、１４トーンであることを特徴とする項目８に記載の方法。
（項目１１）
無線ＬＡＮにおけるパイロットトーンを含むリソース単位上でデータを送信するＡＰ（ａｃｃｅｓｓ  ｐｏｉｎｔ）において、前記ＡＰは、
無線信号を送信及び受信するＲＦ（ｒａｄｉｏ  ｆｒｅｑｕｅｎｃｙ）部；及び、
前記ＲＦ部と動作可能なように（ｏｐｅｒａｔｉｖｅｌｙ）結合されたプロセッサ；を含み、
前記プロセッサは、帯域幅上で複数のＳＴＡ（ｓｔａｔｉｏｎ）と通信のための複数の無線リソースの各々をスケジューリングし、
前記複数の無線リソースの各々を介して前記複数のＳＴＡの各々に複数のダウンリンクデータの各々を送信するように具現され、
前記複数の無線リソースのうち少なくとも一つの無線リソースは、仮想割当リソース単位であり、
前記仮想割当リソース単位は、一つのインターリーバによりインターリービングが可能な複数のデータトーンを含む複数のリソース単位の組み合わせであり、
前記仮想割当リソース単位に含まれる複数の第１のパイロットトーンの位置のセットは、前記複数のリソース単位に含まれる複数の第２のパイロットトーンの位置のセットに含まれるＡＰ。
（項目１２）
前記複数のリソース単位の各々は、２４トーンのデータトーン及び２個の第２のパイロットトーンを含む２６トーンに対応されるＳＴＵ（ｓｍａｌｌ  ｔｏｎｅ  ｕｎｉｔ）であり、
前記２個の第２のパイロットトーンは、特定トーンを基準にして偶数番目に位置した１個の偶数インデックスパイロットトーン及び特定トーンを基準にして奇数番目に位置した１個の奇数インデックスパイロットトーンを含み、
前記複数の第１のパイロットトーンの位置は、前記複数のリソース単位のうち一つのリソース単位を除外した残りのリソース単位の各々の前記１個の奇数インデックスパイロットトーンの位置と同じであることを特徴とする項目１１に記載のＡＰ。
（項目１３）
前記複数のリソース単位の各々は、２４トーンのデータトーン及び２個の第２のパイロットトーンを含む２６トーンに対応されるＳＴＵ（ｓｍａｌｌ  ｔｏｎｅ  ｕｎｉｔ）であり、
前記２個の第２のパイロットトーンは、特定トーンを基準にして偶数番目に位置した１個の偶数インデックスパイロットトーン及び特定トーンを基準にして奇数番目に位置した１個の奇数インデックスパイロットトーンを含み、
前記複数の第１のパイロットトーンの位置は、前記複数のリソース単位のうち一つのリソース単位を除外した残りのリソース単位の各々の前記１個の偶数インデックスパイロットトーンの位置と同じであることを特徴とする項目１１に記載のＡＰ。
（項目１４）
前記複数のリソース単位は、９個のＳＴＵを含み、
前記一つのリソース単位は、周波数軸上で前記９個のＳＴＵのうち中央に位置した中央ＳＴＵであることを特徴とする項目１３に記載のＡＰ。
（項目１５）
前記複数のリソース単位の各々は、２４トーンのデータトーン及び２個の第２のパイロットトーンを含む２６トーンに対応されるＳＴＵ（ｓｍａｌｌ  ｔｏｎｅ  ｕｎｉｔ）であり、
前記２個の第２のパイロットトーン間のパイロットトーンスペーシングは、１４トーンであることを特徴とする項目１３に記載のＡＰ。
【発明の効果】
【００１０】
ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）に基づいて複数のＳＴＡの各々のための無線リソースを割り当てる時、互いに異なる大きさで定義された無線リソース単位を使用して複数のＳＴＡの各々へのリソース割当が実行されることができる。したがって、スケジューリング柔軟度（ｓｃｈｅｄｕｌｉｎｇ  ｆｌｅｘｉｂｉｌｉｔｙ）が高まって無線ＬＡＮの処理量（ｔｈｒｏｕｇｈｐｕｔ）が増加されることができる。
【図面の簡単な説明】
【００１１】
【図１】無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【００１２】
【図２】本発明の実施例に係るリソース割当方法を示す概念図である。
【００１３】
【図３】本発明の実施例に係る仮想割当リソース単位に対するパイロットトーン割当方法を示す概念図である。
【００１４】
【図４】本発明の実施例に係る仮想割当リソース単位に対するパイロットトーン割当方法を示す概念図である。
【００１５】
【図５】本発明の実施例に係るＰＰＤＵヘッダでパイロットトーンを割り当てる方法を示す概念図である。
【００１６】
【図６】本発明の実施例に係るパイロットトーンの割当方法を示す概念図である。
【００１７】
【図７】本発明の実施例に係るパイロットトーンの割当方法を示す概念図である。
【００１８】
【図８】本発明の実施例に係る無線リソースのスケジューリング方法を示す流れ図である。
【００１９】
【図９】本発明の実施例に係るＤＬ  ＭＵ  ＰＰＤＵフォーマットを示す概念図である。
【００２０】
【図１０】本発明の実施例に係るＵＬ  ＭＵ  ＰＰＤＵの送信を示す概念図である。
【００２１】
【図１１】本発明の実施例が適用されることができる無線装置を示すブロック図である。
【発明を実施するための形態】
【００２２】
図１は、無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【００２３】
図１の上段は、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ）８０２．１１のインフラストラクチャＢＳＳ（ｂａｓｉｃ  ｓｅｒｖｉｃｅ  ｓｅｔ）の構造を示す。
【００２４】
図１の上段を参照すると、無線ＬＡＮシステムは、一つまたはそれ以上のインフラストラクチャＢＳＳ１００、１０５（以下、ＢＳＳ）を含むことができる。ＢＳＳ１００、１０５は、成功的に同期化されて互いに通信できるＡＰ（ａｃｃｅｓｓ  ｐｏｉｎｔ）１２５及びＳＴＡ１（Ｓｔａｔｉｏｎ）１００−１のようなＡＰとＳＴＡのセットであり、特定領域を示す概念ではない。ＢＳＳ１０５は、一つのＡＰ１３０に一つ以上の結合可能なＳＴＡ１０５−１、１０５−２を含むこともできる。
【００２５】
ＢＳＳは、少なくとも一つのＳＴＡ、分散サービス（Ｄｉｓｔｒｉｂｕｔｉｏｎ  Ｓｅｒｖｉｃｅ）を提供するＡＰ１２５、１３０及び複数のＡＰを連結させる分散システム（Ｄｉｓｔｒｉｂｕｔｉｏｎ  Ｓｙｓｔｅｍ、ＤＳ）１１０を含むことができる。
【００２６】
分散システム１１０は、複数のＢＳＳ１００、１０５を連結して拡張されたサービスセットであるＥＳＳ（ｅｘｔｅｎｄｅｄ  ｓｅｒｖｉｃｅ  ｓｅｔ）１４０を具現することができる。ＥＳＳ１４０は、一つまたは複数個のＡＰ１２５、２３０が分散システム１１０を介して連結されて構成された一つのネットワークを指示する用語として使われることができる。一つのＥＳＳ１４０に含まれるＡＰは、同じＳＳＩＤ（ｓｅｒｖｉｃｅ  ｓｅｔ  ｉｄｅｎｔｉｆｉｃａｔｉｏｎ）を有することができる。
【００２７】
ポータル（ｐｏｒｔａｌ）１２０は、無線ＬＡＮネットワーク（ＩＥＥＥ８０２．１１）と他のネットワーク（例えば、８０２．Ｘ）との連結を実行するブリッジ役割を遂行することができる。
【００２８】
図１の上段のようなＢＳＳでは、ＡＰ１２５、１３０間のネットワーク及びＡＰ１２５、１３０とＳＴＡ１００−１、１０５−１、１０５−２との間のネットワークが具現されることができる。しかし、ＡＰ１２５、１３０無しでＳＴＡ間でもネットワークを設定して通信を実行することも可能である。ＡＰ１２５、１３０無しでＳＴＡ間でもネットワークを設定して通信を実行するネットワークをアドホックネットワーク（Ａｄ−Ｈｏｃ  ｎｅｔｗｏｒｋ）または独立ＢＳＳ（ｉｎｄｅｐｅｎｄｅｎｔ  ｂａｓｉｃ  ｓｅｒｖｉｃｅ  ｓｅｔ、ＩＢＳＳ）と定義する。
【００２９】
図１の下段は、ＩＢＳＳを示す概念図である。
【００３０】
図１の下段を参照すると、ＩＢＳＳは、アドホックモードで動作するＢＳＳである。ＩＢＳＳは、ＡＰを含まないため、中央で管理機能を遂行するエンティティ（ｃｅｎｔｒａｌｉｚｅｄ  ｍａｎａｇｅｍｅｎｔ  ｅｎｔｉｔｙ）がない。即ち、ＩＢＳＳにおいて、ＳＴＡ１５０−１、１５０−２、１５０−３、１５５−４、１５５−５は、分散された方式（ｄｉｓｔｒｉｂｕｔｅｄ  ｍａｎｎｅｒ）に管理される。ＩＢＳＳにおいて、全てのＳＴＡ１５０−１、１５０−２、１５０−３、１５５−４、１５５−５は、移動ＳＴＡからなることができ、分散システムへの接続が許容されなくて自己完備的ネットワーク（ｓｅｌｆ−ｃｏｎｔａｉｎｅｄ  ｎｅｔｗｏｒｋ）を構築する。
【００３１】
ＳＴＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準の規定に従う媒体接続制御（Ｍｅｄｉｕｍ  Ａｃｃｅｓｓ  Ｃｏｎｔｒｏｌ、ＭＡＣ）と無線媒体に対する物理階層（Ｐｈｙｓｉｃａｌ  Ｌａｙｅｒ）インターフェースを含む任意の機能媒体であり、広義では、ＡＰと非ＡＰ  ＳＴＡ（Ｎｏｎ−ＡＰ  Ｓｔａｔｉｏｎ）を両方とも含む意味として使われることができる。
【００３２】
ＳＴＡは、移動端末（ｍｏｂｉｌｅ  ｔｅｒｍｉｎａｌ）、無線機器（ｗｉｒｅｌｅｓｓ  ｄｅｖｉｃｅ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装備（Ｕｓｅｒ  Ｅｑｕｉｐｍｅｎｔ；ＵＥ）、移動局（Ｍｏｂｉｌｅ  Ｓｔａｔｉｏｎ；ＭＳ）、モバイル加入者ユニット（Ｍｏｂｉｌｅ  Ｓｕｂｓｃｒｉｂｅｒ  Ｕｎｉｔ）または単純にユーザ（ｕｓｅｒ）などの多様な名称で呼ばれることもある。
【００３３】
以下、本実施例では、ＡＰからＳＴＡへ送信されるデータ（または、フレーム）はダウンリンクデータ（または、ダウンリンクフレーム）、ＳＴＡからＡＰへ送信されるデータ（または、フレーム）はアップリンクデータ（または、アップリンクフレーム）という用語で表現されることができる。また、ＡＰからＳＴＡへの送信はダウンリンク送信、ＳＴＡからＡＰへの送信はアップリンク送信という用語で表現できる。
【００３４】
また、ダウンリンク送信を介して送信されるＰＰＤＵ（ＰＨＹ  ｐｒｏｔｏｃｏｌ  ｄａｔａ  ｕｎｉｔ）、フレーム及びデータの各々は、ダウンリンクＰＰＤＵ、ダウンリンクフレーム及びダウンリンクデータという用語で表現されることができる。ＰＰＤＵは、ＰＰＤＵヘッダとＰＳＤＵ（ｐｈｙｓｉｃａｌ  ｌａｙｅｒ  ｓｅｒｖｉｃｅ  ｄａｔａ  ｕｎｉｔ）（または、ＭＰＤＵ（ＭＡＣ  ｐｒｏｔｏｃｏｌ  ｄａｔａ  ｕｎｉｔ））を含むデータ単位である。ＰＰＤＵヘッダは、ＰＨＹヘッダとＰＨＹプリアンブルを含むことができ、ＰＳＤＵ（または、ＭＰＤＵ）は、フレーム（または、ＭＡＣ階層の情報単位）を含み、またはフレームを指示するデータ単位である。ＰＨＹヘッダは、他の用語として、ＰＬＣＰ（ｐｈｙｓｉｃａｌ  ｌａｙｅｒ  ｃｏｎｖｅｒｇｅｎｃｅ  ｐｒｏｔｏｃｏｌ）ヘッダで表現され、ＰＨＹプリアンブルは、他の用語として、ＰＬＣＰプリアンブルで表現されることもできる。
【００３５】
また、アップリンク送信を介して送信されるＰＰＤＵ、フレーム及びデータの各々は、アップリンクＰＰＤＵ、アップリンクフレーム及びアップリンクデータという用語で表現されることができる。
【００３６】
既存の無線ＬＡＮシステムでは、ＳＵ（ｓｉｎｇｌｅ）−ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）送信に基づいて全体帯域幅が１個のＳＴＡへのダウンリンク送信及び１個のＳＴＡのアップリンク送信のために使われた。また、既存の無線ＬＡＮシステムにおいて、ＡＰは、ＭＵ  ＭＩＭＯ（ｍｕｌｔｉｐｌｅ  ｉｎｐｕｔ  ｍｕｌｔｉｐｌｅ  ｏｕｔｐｕｔ）に基づいてＤＬ（ｄｏｗｎｌｉｎｋ）ＭＵ（ｍｕｌｔｉ−ｕｓｅｒ）送信を実行することができ、このような送信は、ＤＬ  ＭＵ  ＭＩＭＯ送信という用語で表現されることができる。
【００３７】
本実施例に係る無線ＬＡＮシステムでは、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）ベースの送信方法がアップリンク送信及びダウンリンク送信のためにサポートされることができる。具体的に、本実施例に係る無線ＬＡＮシステムにおいて、ＡＰがＯＦＤＭＡに基づいてＤＬ  ＭＵ送信を実行することができ、このような送信は、ＤＬ  ＭＵ  ＯＦＤＭＡ送信という用語で表現されることができる。ＤＬ  ＭＵ  ＯＦＤＭＡ送信が実行される場合、ＡＰは、重なった時間リソース上で複数の周波数リソースの各々を介して複数のＳＴＡの各々にダウンリンクデータ（または、ダウンリンクフレーム、ダウンリンクＰＰＤＵ）を送信することができる。複数の周波数リソースは、複数のサブバンド（または、サブチャネル）または複数のＲＵ（ｒｅｓｏｕｒｃｅ  ｕｎｉｔ）（例えば、ＢＴＵ（ｂａｓｉｃ  ｔｏｎｅ  ｕｎｉｔ）、ＳＴＵ（ｓｍａｌｌ  ｔｏｎｅ  ｕｎｉｔ））である。ＤＬ  ＭＵ  ＯＦＤＭＡ送信は、ＤＬ  ＭＵ  ＭＩＭＯ送信と共に使われることができる。例えば、ＤＬ  ＭＵ  ＯＦＤＭＡ送信のために割り当てられた特定サブバンド（または、サブチャネル）上で複数の時空間ストリーム（ｓｐａｃｅ−ｔｉｍｅ  ｓｔｒｅａｍ）（または、空間的ストリーム（ｓｐａｔｉａｌ  ｓｔｒｅａｍ））に基づくＤＬ  ＭＵ  ＭＩＭＯ送信が実行されることができる。
【００３８】
また、本実施例に係る無線ＬＡＮシステムでは、複数のＳＴＡが同じ時間リソース上でＡＰにデータを送信するＵＬ  ＭＵ送信（ｕｐｌｉｎｋ  ｍｕｌｔｉ−ｕｓｅｒ  ｔｒａｎｓｍｉｓｓｉｏｎ）がサポートされることができる。複数のＳＴＡの各々による重なった時間リソース上でのアップリンク送信は、周波数ドメインまたは空間ドメイン（ｓｐａｔｉａｌ  ｄｏｍａｉｎ）上で実行されることができる。
【００３９】
複数のＳＴＡの各々によるアップリンク送信が周波数ドメイン上で実行される場合、ＯＦＤＭＡに基づいて複数のＳＴＡの各々に対して互いに異なる周波数リソースがアップリンク送信リソースに割り当てられることができる。互いに異なる周波数リソースは、互いに異なるサブバンド（または、サブチャネル）または互いに異なるＲＵ（ｒｅｓｏｕｒｃｅ  ｕｎｉｔ）（例えば、ＢＴＵ（ｂａｓｉｃ  ｔｏｎｅ  ｕｎｉｔ）、ＳＴＵ（ｓｍａｌｌ  ｔｏｎｅ  ｕｎｉｔ））である。複数のＳＴＡの各々は、割り当てられた互いに異なる周波数リソースを介してＡＰにアップリンクデータを送信することができる。このような互いに異なる周波数リソースを介した送信方法は、ＵＬ  ＭＵ  ＯＦＤＭＡ送信方法という用語で表現されることもできる。
【００４０】
複数のＳＴＡの各々によるアップリンク送信が空間ドメイン上で実行される場合、複数のＳＴＡの各々に対して互いに異なる時空間ストリーム（または、空間的ストリーム）が割り当てられ、複数のＳＴＡの各々が互いに異なる時空間ストリームを介してアップリンクデータをＡＰに送信することができる。このような互いに異なる空間的ストリームを介した送信方法は、ＵＬ  ＭＵ  ＭＩＭＯ送信方法という用語で表現されることもできる。
【００４１】
ＵＬ  ＭＵ  ＯＦＤＭＡ送信とＵＬ  ＭＵ  ＭＩＭＯ送信は共に実行されることができる。例えば、ＵＬ  ＭＵ  ＯＦＤＭＡ送信のために割り当てられた特定サブバンド（または、サブチャネル）上で複数の時空間ストリーム（または、空間的ストリーム）に基づくＵＬ  ＭＵ  ＭＩＭＯ送信が実行されることができる。
【００４２】
ＭＵ  ＯＦＤＭＡ送信をサポートしなかった従来の無線ＬＡＮシステムにおいて、一つの端末に広い帯域幅（ｗｉｄｅｒ  ｂａｎｄｗｉｄｔｈ）（例えば、２０ＭＨｚ超過帯域幅）を割り当てるためにマルチチャネル割当方法が使われた。マルチチャネルは、一つのチャネル単位を２０ＭＨｚとする場合、複数個の２０ＭＨｚチャネルを含むことができる。マルチチャネル割当方法では端末に広い帯域幅を割り当てるためにプライマリチャネル規則（ｐｒｉｍａｒｙ  ｃｈａｎｎｅｌ  ｒｕｌｅ）が使われた。プライマリチャネル規則が使われる場合、端末に広い帯域幅を割り当てるための制約が存在する。具体的に、プライマリチャネルルールによると、プライマリチャネルに隣接したセカンダリチャネル（ｓｅｃｏｎｄａｒｙ  ｃｈａｎｎｅｌ）がＯＢＳＳ（ｏｖｅｒｌａｐｐｅｄ  ＢＳＳ）で使われて‘ビジー（ｂｕｓｙ）’の場合、ＳＴＡは、プライマリチャネルを除外した残りのチャネルを使用することができない。したがって、ＳＴＡは、プライマリチャネルを介してのみフレームを送信することができるため、マルチチャネルを介したフレームの送信に対する制約を受ける。即ち、既存の無線ＬＡＮシステムにおいて、マルチチャネル割当のために使われたプライマリチャネルルールは、ＯＢＳＳが少なくない現在無線ＬＡＮ環境で広い帯域幅を運用して高い処理量を得ようとする時に大きい制約となることができる。
【００４３】
このような問題点を解決するために、本実施例ではＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）技術をサポートする無線ＬＡＮシステムが開示される。ＯＦＤＭＡ技術が使われる場合、プライマリチャネルルールによる制限無しでマルチチャネルを一つの端末でない複数の端末が同時に使用することができる。したがって、広い帯域幅運用が可能で無線リソースの運用の効率性が向上することができる。
【００４４】
本実施例に係る無線ＬＡＮシステムで仮定される時間−周波数構造（ｔｉｍｅ−ｆｒｅｑｕｅｎｃｙ  ｓｔｒｕｃｔｕｒｅ）は、例示的に下記の通りである。
【００４５】
ＦＦＴ（ｆａｓｔ  ｆｏｕｒｉｅｒ  ｔｒａｎｓｆｏｒｍ）サイズ／ＩＦＦＴ（ｉｎｖｅｒｓｅ  ｆａｓｔ  ｆｏｕｒｉｅｒ  ｔｒａｎｓｆｏｒｍ）サイズは、既存の無線ＬＡＮシステムで使われたＦＦＴ／ＩＦＦＴサイズのＮ倍（Ｎは、自然数、例えば、Ｎ＝４）に定義されることができる。例えば、２０ＭＨｚの帯域幅に対して２５６ＦＦＴ／ＩＦＦＴが適用され、４０ＭＨｚの帯域幅に対して５１２ＦＦＴ／ＩＦＦＴが適用され、８０ＭＨｚの帯域幅に対して１０２４ＦＦＴ／ＩＦＦＴが適用され、連続１６０ＭＨｚまたは不連続１６０ＭＨｚの帯域幅に対して２０４８ＦＦＴ／ＩＦＦＴが適用されることができる。
【００４６】
サブキャリア空間（ｓｕｂｃａｒｒｉｅｒ  ｓｐａｃｉｎｇ）は、既存の無線ＬＡＮシステムで使われたサブキャリア空間の１／Ｎ倍（Ｎは、自然数、例えば、Ｎ＝４の場合、７８．１２５ｋＨｚ）の大きさである。
【００４７】
ＩＤＦＴ（ｉｎｖｅｒｓｅ  ｄｉｓｃｒｅｔｅ  ｆｏｕｒｉｅｒ  ｔｒａｎｓｆｏｒｍ）／ＤＦＴ（ｄｉｓｃｒｅｔｅ  ｆｏｕｒｉｅｒ  ｔｒａｎｓｆｏｒｍ）（または、ＦＦＴ／ＩＦＦＴ）に基づくＩＤＦＴ／ＤＦＴ長さ（または、有効シンボル長さ）は、既存の無線ＬＡＮシステムでＩＤＦＴ／ＤＦＴ長さのＮ倍である。例えば、既存の無線ＬＡＮシステムにおいて、ＩＤＦＴ／ＤＦＴ長さが３．２μｓであり、Ｎ＝４の場合、本実施例に係る無線ＬＡＮシステムにおいて、ＩＤＦＴ／ＤＦＴ長さは、３．２μｓ＊４（＝１２．８μｓ）である。
【００４８】
ＯＦＤＭシンボルの長さは、ＩＤＦＴ／ＤＦＴ長さにＧＩ（ｇｕａｒｄ  ｉｎｔｅｒｖａｌ）の長さを加えた値である。ＧＩの長さは、０．４μｓ、０．８μｓ、１．６μｓ、２．４μｓ、３．２μｓのような多様な値である。
【００４９】
本発明の実施例に係るＯＦＤＭＡベースのリソース割当方法が使われる場合、互いに異なる大きさで定義されたリソース割当単位が使われることができる。具体的に、ＯＦＤＭＡベースのリソース割当のためのリソース単位としてＢＴＵ（ｂａｓｉｃ  ｔｏｎｅ  ｕｎｉｔ）及びＳＴＵ（ｓｍａｌｌ  ｔｏｎｅ  ｕｎｉｔ）が定義されることができる。
【００５０】
ＡＰは、前記のような多様なリソース単位に基づいて少なくとも一つのＳＴＡのためのダウンリンク送信リソース及び／またはアップリンク送信リソースを決定することができる。ＡＰは、スケジューリングされたダウンリンク送信リソースを介して少なくとも一つのＰＰＤＵを少なくとも一つのＳＴＡに送信することができる。また、ＡＰは、スケジューリングされたアップリンク送信リソースを介して少なくとも一つのＳＴＡにより送信される少なくとも一つのＰＰＤＵを受信することができる。
【００５１】
ＢＴＵは、ＳＴＵに比べて相対的に大きいサイズのリソース単位（ｌａｒｇｅｒ  ｓｉｚｅ  ｒｅｓｏｕｒｃｅ  ｕｎｉｔ）である。例えば、ＢＴＵは、５６トーン（ｔｏｎｅ）、１１４トーンなどの大きさで定義されることができる。ＢＴＵは、可用な帯域幅の大きさ（例えば、２０ＭＨｚ、４０ＭＨｚ、８０ＭＨｚ、１６０ＭＨｚ等）と関係無しで同じ大きさで定義され、または可用な帯域幅の大きさに従属的に変化される大きさで定義されることができる。例えば、ＢＴＵの大きさは、可用な帯域幅の大きさの増加によって相対的に大きい値で定義されることもできる。トーン（ｔｏｎｅ）は、サブキャリア（ｓｕｂｃａｒｒｉｅｒ）と同じ意味で解釈されることができる。
【００５２】
ＳＴＵは、ＢＴＵに比べて相対的に小さいサイズのリソース単位（ｓｍａｌｌｅｒ  ｓｉｚｅ  ｒｅｓｏｕｒｃｅ  ｕｎｉｔ）である。例えば、ＳＴＵは、２６トーンの大きさで定義されることができる。
【００５３】
ＢＴＵ及びＳＴＵのようなリソース単位は、全体帯域幅（または、可用な帯域幅）上で全体帯域幅の両終端に位置した干渉緩和のための左側ガードトーン（ｌｅｆｔ  ｇｕａｒｄ  ｔｏｎｅ）、右側ガードトーン（ｒｉｇｈｔ  ｇｕａｒｄ  ｔｏｎｅ）及び全体帯域幅の中央に位置したＤＣ（ｄｉｒｅｃｔ  ｃｕｒｒｅｎｔ）トーンを考慮して割り当てられることができる。それだけでなく、ＢＴＵ及びＳＴＵのようなリソース単位は、ユーザ割当分離（ｕｓｅｒ  ａｌｌｏｃａｔｉｏｎ  ｓｅｐａｒａｔｉｏｎ）（または、ＳＴＡ別リソース割当）、一般パイロット（ｃｏｍｍｏｎ  ｐｉｌｏｔ）、ＡＧＣ（ａｕｔｏｍａｔｉｃ  ｇａｉｎ  ｃｏｎｔｒｏｌ）、位相トラッキング（ｐｈａｓｅ  ｔｒａｃｋｉｎｇ）などの用途で使われることができるレフトオーバー（ｌｅｆｔｏｖｅｒ）トーンを考慮して割り当てられることができる。
【００５４】
全体帯域幅上でＢＴＵ及びＳＴＵのようなリソース単位の割当方法（割当個数、割当位置など）は、リソース活用効率、全体帯域幅によるスケーラビリティ（ｓｃａｌａｂｉｌｉｔｙ）（または、拡張性）を考慮して設定されることができる。ＢＴＵ及びＳＴＵのようなリソース単位の割当方法は、あらかじめ定義され、または多様な方法（例えば、ＰＰＤＵのＰＰＤＵヘッダに含まれるシグナルフィールド（ｓｉｇｎａｌ  ｆｉｅｌｄ）に基づくシグナリング）に基づいてシグナリングされることができる。
【００５５】
以下、具体的なＢＴＵ及びＳＴＵに基づくリソース割当方法が開示される。
【００５６】
図２は、本発明の実施例に係るリソース割当方法を示す概念図である。
【００５７】
図２では、ＢＴＵ及びＳＴＵに基づく可用な帯域幅全体に対するリソース割当が開示される。
【００５８】
以下の表１は、２０ＭＨｚ、４０ＭＨｚ、８０ＭＨｚの帯域幅上でＢＴＵ及びＳＴＵの基本的なリソース割当を開示する。
【００５９】
【表１】
0006407421.tif 000002
【００６０】
図２及び表１を参照すると、ＢＴＵは５６トーン、ＳＴＵは２６トーンに定義されることができる。１個のＳＴＵは、ＤＣトーンを基準にして１３トーンに対応される二つの分割ＳＴＵに具現されることもできる。
【００６１】
２４２トーンの可用なトーンを含む２０ＭＨｚ帯域幅に対して２個のＢＴＵ及び５個のＳＴＵが割り当てられることができる。また、４８４トーンの可用なトーンを含む４０ＭＨｚ帯域幅に対して４個のＢＴＵ及び１０個のＳＴＵが割り当てられることができ、９９４トーンの可用なトーンを含む８０ＭＨｚ帯域幅に対して８個のＢＴＵ及び２１個のＳＴＵが割り当てられることができる。
【００６２】
２０ＭＨｚ帯域幅に対して１個のＳＴＡに１個または２個のＢＴＵの割当が可能である。また、４０ＭＨｚ帯域幅に対して１個のＳＴＡに１個または２個のＢＴＵの割当が可能であり、８０ＭＨｚ帯域幅に対して１個のＳＴＡに１個、２個または４個のＢＴＵの割当が可能である。
【００６３】
２０ＭＨｚ帯域幅に対して１個のＳＴＡに割当可能なＳＴＵの個数は、１個、２個、４個または５個である。２０ＭＨｚ帯域幅上で１個のＳＴＡに割当可能なＳＴＵの個数の最大値である５は、１個のＳＴＡに割り当てられたＳＴＵの個数に対するシグナリングを考慮して他の値で定義されることもできる。また、４０ＭＨｚ帯域幅に対して１個のＳＴＡに割当可能なＳＴＵの個数は、１個、２個、４個または１０個である。４０ＭＨｚ帯域幅上で１個のＳＴＡに割当可能なＳＴＵの個数の最大値である１０は、１個のＳＴＡに割り当てられたＳＴＵの個数に対するシグナリングを考慮して他の値で定義されることもできる。また、８０ＭＨｚ帯域幅に対して１個のＳＴＡに割当可能なＳＴＵの個数は、１個、２個、４個または２１個である。８０ＭＨｚ帯域幅上で１個のＳＴＡに割当可能なＳＴＵの個数の最大値である２１は、１個のＳＴＡに割り当てられたＳＴＵの個数に対するシグナリングを考慮して他の値で定義されることもできる。
【００６４】
本発明の実施例によると、少なくとも一つのＢＴＵ及び少なくとも一つのＳＴＵの組み合わせに対応されるトーンを含む仮想割当リソース単位（ｖｉｒｔｕａｌ  ａｌｌｏｃａｔｉｏｎ  ｒｅｓｏｕｒｃｅ  ｕｎｉｔ）が定義され、仮想割当リソース単位に基づくリソース割当が実行されることができる。仮想割当リソース単位に基づくリソース割当は、他の表現として、仮想化ということもできる。
【００６５】
仮想割当リソース単位は、既存の無線ＬＡＮシステムのインターリーバサイズ及びＯＦＤＭヌメロロジー（ｎｕｍｅｒｏｌｏｇｙ）を再活用するためのリソース単位である。または、仮想割当リソース単位は、少なくとも一つのＢＴＵ及び少なくとも一つのＳＴＵの組み合わせに対応されるトーンに対応されるＢＴＵ及びＳＴＵより大きいリソース単位で定義されることもできる。例えば、仮想割当リソース単位は、２個のＢＴＵと５個のＳＴＵを結合した２４２トーンであり、または４個のＢＴＵと１０個のＳＴＵを結合した４８４トーンである。
【００６６】
具体的に、２個のＢＴＵ及び５個のＳＴＵに対応される２４２トーンが１個のＳＴＡに割り当てられる場合、既存のパイロット割当及び既存のインターリーバサイズが活用されることができる。具体的に、２４２トーンのうち、８トーンにパイロットトーンが割り当てられ、残り２３４トーンに対してデータトーンが割り当てられることができる。２３４トーンのデータトーンに対して２３４サイズのインターリーバに基づくインターリービングが実行されることができる。
【００６７】
このような場合、既存の２４２トーンの割当を受けたＳＴＡと同じようにデータインターリービング手順及びパイロットトーン挿入手順が実行されることができる。即ち、物理的に２４２トーン構造がサポートされない場合にも、一つの仮想的な２４２トーンのリソース単位がＳＴＡに割り当てられることができる。このような場合、既存の２３４サイズのインターリーバを活用したインターリービング手順及び既存のパイロットトーン（８個のパイロットトーン）の挿入手順が使われることができる。このような２４２トーンのリソース単位は、仮想割当リソース単位という用語で表現されることができる。仮想割当リソース単位は、２４２トーンまたは２４２トーンの倍数（例えば、４８４、９６８等）である。または、仮想割当リソース単位の大きさは、既存の無線ＬＡＮシステムで使われた他のインターリーバサイズ（１０８、５２、２４等）に基づいて決定されることもできる。または、仮想割当リソース単位は、少なくとも一つのＢＴＵ及び少なくとも一つのＳＴＵの組み合わせに対応されるトーンに対応されるＢＴＵ及びＳＴＵより大きいリソース単位で定義され、新しく定義されたインターリーバサイズによりインターリービングされる複数のデータトーンを含むこともできる。
【００６８】
前記のような仮想割当リソース単位は、ＳＵ（ｓｉｎｇｌｅ）ＯＦＤＭＡベースの送信のために活用されることができる。または、ＳＵ  ＯＦＤＭＡベースの送信のために１個のＳＴＡに対して各帯域幅で定義された全てのＢＴＵ及び全てのＳＴＵが割り当てられることができる。
【００６９】
２０ＭＨｚ帯域幅で同時にリソースの割当を受けることができる最大ＳＴＡの個数は、７個である。最大７個のＳＴＡの各々が２個のＢＴＵ及び５個のＳＴＵの各々を割当を受けることができる。４０ＭＨｚ帯域幅でリソースの割当を受けることができる最大ＳＴＡの個数は、１４個である。最大１４個のＳＴＡの各々が４個のＢＴＵ及び１０個のＳＴＵの各々を割当を受けることができる。８０ＭＨｚ帯域幅でリソースの割当を受けることができる最大ＳＴＡの個数は、２９個である。２９個のＳＴＡの各々が８個のＢＴＵ及び２１個のＳＴＵの各々を割当を受けることができる。または、全体帯域幅上でリソースの割当を受けることができる最大ＳＴＡの個数は、２９より小さい個数（例えば、２０個）未満に制限されることもでき、このような場合、８０ＭＨｚ帯域幅で８個のＢＴＵ及び２１個のＳＴＵの組み合わせに基づいて最大１９個のＳＴＡが同時にリソースの割当を受けることができる。
【００７０】
本発明の実施例によると、下記のようなトーンヌメロロジーが各帯域幅の大きさに対して仮定されることができる。以下のトーンヌメロロジーは、一つの例示に過ぎず、以下の例示で開示されたトーンヌメロロジーだけでなく、多様なトーンヌメロロジーに基づいてリソース割当が実行されることができる。
【００７１】
２０ＭＨｚ帯域幅に対して６個の左側ガードトーン、３個のＤＣトーン及び５個の右側ガードトーンが仮定され、ＯＦＤＭＡトーン構造は、２０ＭＨｚ帯域幅上の２個の５６トーンのリソース単位（ＢＴＵ）及び５個の２６トーンのリソース単位（ＳＴＵ）に基づいて構成されることができる。または、９個の２６トーンのリソース単位に対応される仮想割当リソース単位に基づくリソース割当が実行されることもできる。２０ＭＨｚ帯域幅上で具体的な２個の５６トーンのリソース単位（ＢＴＵ）及び５個の２６トーンのリソース単位（ＳＴＵ）の割当は、（１）左側ガードトーン／５６／２６／２６／１３／ＤＣ／１３／２６／２６／５６／右側ガードトーン、または（２）２６／２６／１３／５６／ＤＣ／５６／１３／２６／２６／右側ガードトーンである。そのとき、１３トーンは、２６トーンのリソース単位を分割したリソース単位である。
【００７２】
４０ＭＨｚ帯域幅に対して６個の左側ガードトーン、９個のＤＣトーン及び５個の右側ガードトーンが仮定されることができる。左側ガードトーン、ＤＣトーン、右側ガードトーンを除外した残りの可用な４９２トーンがＤＣトーンを基準にして二つの部分に分けられ、二つの部分の各々は、３個の５６トーンのリソース単位及び３個の２６トーンのリソース単位を含むことができる。具体的な４０ＭＨｚ帯域幅上でのリソース割当は、左側ガードトーン／５６／５６／２６／２６／２６／５６／ＤＣトーン／５６／２６／２６／２６／５６／５６／右側ガードトーンである。
【００７３】
または、４０ＭＨｚ帯域幅に対して６個の左側ガードトーン、５個のＤＣトーン及び５個の右側ガードトーンが仮定されることができる。可用な４９６トーンに対して７個の５６トーンのリソース単位及び４個の２６トーンのリソース単位が割り当てられることができる。具体的な４０ＭＨｚ帯域幅上でのリソース割当は、左側ガードトーン／５６／５６／２６／２６／５６／２８／ＤＣ／２８／５６／２６／２６／５６／５６／右側ガードトーンである。そのとき、２６トーンは、５６トーンのリソース単位を分割したリソース単位である。
【００７４】
８０ＭＨｚ帯域幅に対し、１１個の左側ガードトーン、９個のＤＣトーン及び５個の右側ガードトーン、または６個の左側ガードトーン、１３個のＤＣトーン及び５個の右側ガードトーンが仮定されることができる。左側ガードトーン、ＤＣトーン、右側ガードトーンを除外した残りの可用な１０００トーンが４個の部分に分けられる。１０００トーンを分割すると、４個の２５０トーンが生成されることができる。４個の２５０トーンの各々に対して４個の５６トーンのリソース単位及び１個の２６トーンのリソース単位が定義されることができる。即ち、一つの２５０トーン上に５６トーンのリソース単位及び１個の２６トーンのリソース単位が割り当てられることができる。または、５６トーンのリソース単位は、２個の２６トーンのリソース単位に分割されることができ、このような場合、２５０トーンのリソース単位は、９個の２６トーンのリソース単位を含むことができる。９個の２６トーンのリソース単位は、一つの仮想割当リソース単位で定義されることができる。
【００７５】
具体的な８０ＭＨｚ帯域幅上でのリソース割当は、左側ガードトーン／５６／５６／５６／５６／２６／２６／５６／５６／５６／５６／ＤＣトーン／５６／５６／５６／５６／２６／２６／５６／５６／５６／５６／右側ガードトーンである。
【００７６】
以下、本発明の実施例に係るリソース単位でパイロットトーンを割り当てる方法が開示される。
【００７７】
図３は、本発明の実施例に係る仮想割当リソース単位に対するパイロットトーン割当方法を示す概念図である。
【００７８】
図３では、仮想割当リソース単位で仮想割当リソース単位に対応される少なくとも一つのＢＴＵ及び少なくとも一つのＳＴＵの各々のパイロットトーンの位置を考慮してパイロットトーンを割り当てる方法が開示される。仮想割当リソース単位は、パイロットトーンの割当において既存の２４２トーンベースのＯＦＤＭヌメロロジーを使用しない。
【００７９】
図３を参照すると、仮想化を介して２４２トーンの仮想割当リソース単位が割り当てられることができ、２４２トーンの仮想割当リソース単位は、２個のＢＴＵ及び５個のＳＴＵの組み合わせに対応されることができる。ＢＴＵは、２個のＳＴＵに代替構成可能である。即ち、総９個のＳＴＵで構成されたバンドプランを構成することができ、これは２４２トーンの割当リソースとして使用可能である。
【００８０】
本発明の実施例に係る仮想割当リソース単位（例えば、２４２トーン）に含まれるパイロットトーンの位置は、仮想割当リソース単位と対応される少なくとも一つのＢＴＵ（例えば、２個のＢＴＵ）及び少なくとも一つのＳＴＵ（例えば、５個のＳＴＵ）の複数のパイロットトーンのうち全部または一部のパイロットトーンの位置と同じである。１個のＢＴＵが２個のＳＴＵに代替構成される場合、仮想割当リソース単位に含まれるパイロットトーンの位置は、仮想割当リソース単位と対応される複数のＳＴＵのパイロットトーンのうち全部または一部のパイロットトーンの位置と同じである。
【００８１】
他の表現として、仮想割当リソース単位のパイロットトーンの位置セットが仮想割当リソース単位と対応される少なくとも一つのＢＴＵ（例えば、２個のＢＴＵ）及び少なくとも一つのＳＴＵ（例えば、５個のＳＴＵ）の複数のパイロットトーンの位置セットに含まれることができる。
【００８２】
例えば、１個のＢＴＵは、４個のパイロットトーンを含むことができ、１個のＳＴＵは、２個のパイロットトーンを含むことができる。このような場合、２個のＢＴＵ及び５個のＳＴＵの全体パイロットトーンの個数は、１８個（＝２＊４＋５＊２）である。１８個のうち８個のパイロットトーンの位置と、２４２トーンの仮想割当リソース単位に含まれる８個のパイロットトーンの位置は、同じである（または、重なる）。
【００８３】
図３のように、２個のＢＴＵに含まれる８個のパイロットトーンのうち４個のパイロットトーンの位置と、仮想割当リソース単位の４個のパイロットトーンの位置は、同じである。仮想割当リソース単位のパイロットトーンの位置と同じ位置を有する２個のＢＴＵに含まれる４個のパイロットトーンは、偶数パイロットトーン（ｅｖｅｎ  ｐｉｌｏｔ  ｔｏｎｅ）（または、偶数インデックスパイロットトーン）である。または、仮想割当リソース単位のパイロットトーンの位置と同じ位置を有する２個のＢＴＵに含まれる４個のパイロットトーンは、奇数パイロットトーン（ｏｄｄ  ｐｉｌｏｔ  ｔｏｎｅ）（または、奇数インデックスパイロットトーン）である。または、仮想割当リソース単位のパイロットトーンの位置と同じ位置を有する２個のＢＴＵに含まれる４個のパイロットトーンは、偶数インデックスパイロットトーン／奇数インデックスパイロットトーンの組み合わせである。
【００８４】
偶数インデックスパイロットトーン（または、偶数パイロットトーン）は、リソース単位（ＢＴＵ、ＳＴＵ）に含まれるパイロットトーンのうち最左側トーン（ｌｅｆｔｍｏｓｔ  ｔｏｎｅ）または最右側トーン（ｒｉｇｈｔｍｏｓｔ  ｔｏｎｅ）を基準にして偶数番目に位置したパイロットトーンであり、奇数インデックスパイロットトーン（または、奇数パイロットトーン）は、リソース単位に含まれるパイロットトーンのうち特定周波数位置を基準にして奇数番目に位置したパイロットトーンである。
【００８５】
また、４個のＳＴＵに含まれる８個のパイロットトーンのうち４個のパイロットトーンの位置と、仮想割当リソース単位の４個のパイロットトーンの位置は、同じである。仮想割当リソース単位のパイロットトーンの位置と同じ位置を有する４個のＳＴＵに含まれる４個のパイロットトーンは、偶数インデックスパイロットトーンである。または、仮想割当リソース単位のパイロットトーンの位置と同じ位置を有する４個のＳＴＵに含まれる４個のパイロットトーンは、奇数インデックスパイロットトーンである。または、仮想割当リソース単位のパイロットトーンの位置と同じ位置を有する４個のＳＴＵに含まれる４個のパイロットトーンは、偶数インデックスパイロットトーン／奇数インデックスパイロットトーンの組み合わせである。
【００８６】
残り１個のＳＴＵに含まれる２個のパイロットトーンの位置は、仮想割当リソース単位のパイロットトーンの位置と同じでない。残り１個のＳＴＵは、２４２トーン上で中央に位置した中央（ｃｅｎｔｒａｌ）ＳＴＵである。
【００８７】
即ち、前記のように、２個のＢＴＵ及び５個のＳＴＵの全体パイロットトーンの個数１８個のうち８個のパイロットトーンの位置と、２４２トーンの仮想割当リソース単位に含まれる８個のパイロットトーンの位置は、同じである。
【００８８】
また、１個のＢＴＵが２個のＳＴＵに代替構成される場合、９個のＳＴＵの全体パイロットトーンの個数１８個のうち８個のパイロットトーンの位置と、２４２トーンの仮想割当リソース単位に含まれる８個のパイロットトーンの位置は、同じである。
【００８９】
図４は、本発明の実施例に係る仮想割当リソース単位に対するパイロットトーン割当方法を示す概念図である。
【００９０】
図４では、仮想割当リソース単位で仮想割当リソース単位に対応される少なくとも一つのＢＴＵ及び少なくとも一つのＳＴＵの各々のパイロットトーンの位置を考慮してパイロットトーンを割り当てる方法が開示される。即ち、仮想割当リソース単位は、パイロットトーンの割当において既存の２４２トーンベースのＯＦＤＭヌメロロジーを使用しない。
【００９１】
図４を参照すると、仮想化を介して２４６トーンの仮想割当リソース単位が割り当てられることができ、２４６トーンの仮想割当リソース単位は、３個のＢＴＵ及び３個のＳＴＵの組み合わせである。２４６トーンの仮想割当リソース単位のうち、２４２トーンのみがデータトーン及びパイロットトーンとして使われ、４トーンは残りトーン（または、レフトオーバートーン）である。したがって、２４６トーンの仮想割当リソース単位に対しても既存の２３４サイズのインターリーバを活用したデータトーンに対するインターリービング手順が使われることができる。
【００９２】
本発明の実施例に係る仮想割当リソース単位（例えば、２４６トーン）に含まれるパイロットトーンの位置は、仮想割当リソース単位と対応される少なくとも一つのＢＴＵ（例えば、３個のＢＴＵ）及び少なくとも一つのＳＴＵ（例えば、３個のＳＴＵ）の複数のパイロットトーンのうち全部または一部のパイロットトーンの位置と同じである。他の表現として、仮想割当リソース単位のパイロットトーンの位置セットが仮想割当リソース単位と対応される少なくとも一つのＢＴＵ（例えば、３個のＢＴＵ）及び少なくとも一つのＳＴＵ（例えば、３個のＳＴＵ）の複数のパイロットトーンの位置セットに含まれることができる。
【００９３】
例えば、１個のＢＴＵは、４個のパイロットトーンを含むことができ、１個のＳＴＵは、２個のパイロットトーンを含むことができる。このような場合、３個のＢＴＵ及び３個のＳＴＵの全体パイロットトーンの個数は、１８個（＝３＊４＋３＊２）である。１８個のうち８個のパイロットトーンの位置と、２４６トーンの仮想割当リソース単位に含まれるパイロットトーンの位置は、同じである（または、重なる）。
【００９４】
図４のように、３個のＢＴＵに含まれる１２個のパイロットトーンのうち６個のパイロットトーンの位置と、仮想割当リソース単位の６個のパイロットトーンの位置は、同じである。仮想割当リソース単位のパイロットトーンの位置と同じ位置を有する３個のＢＴＵに含まれる６個のパイロットトーンは、偶数インデックスパイロットトーンである。または、仮想割当リソース単位のパイロットトーンの位置と同じ位置を有する３個のＢＴＵに含まれる６個のパイロットトーンは、奇数インデックスパイロットトーンである。または、仮想割当リソース単位のパイロットトーンの位置と同じ位置を有する３個のＢＴＵに含まれる６個のパイロットトーンは、偶数インデックスパイロットトーン／奇数インデックスパイロットトーンの組み合わせである。
【００９５】
また、２個のＳＴＵに含まれる４個のパイロットトーンのうち２個のパイロットトーンの位置と、仮想割当リソース単位の２個のパイロットトーンの位置は、同じである。仮想割当リソース単位のパイロットトーンの位置と同じ位置を有する２個のＳＴＵに含まれる２個のパイロットトーンは、偶数インデックスパイロットトーンである。または、仮想割当リソース単位のパイロットトーンの位置と同じ位置を有する２個のＳＴＵに含まれる２個のパイロットトーンは、奇数インデックスパイロットトーンである。または、２個のＳＴＵに含まれる仮想割当リソース単位のパイロットトーンの位置と同じ位置を有する２個のパイロットトーンは、偶数インデックスパイロットトーン／奇数インデックスパイロットトーンの組み合わせである。
【００９６】
残り１個のＳＴＵに含まれる２個のパイロットトーンの位置は、仮想割当リソース単位のパイロットトーンの位置と重ならない。残り１個のＳＴＵは、２４６トーン上で中央に位置した中央（ｃｅｎｔｒａｌ）ＳＴＵである。
【００９７】
即ち、前記のように、３個のＢＴＵ及び３個のＳＴＵの全体パイロットトーンの個数１８個のうち６個のパイロットトーンの位置と、２４６トーンの仮想割当リソース単位に含まれる８個のパイロットトーンの位置は、同じように設定されることができる。
【００９８】
図３及び図４に開示されたように、パイロットトーンの位置割当が実行される場合、パイロットの位置が割り当てられるリソース単位の変化によって可変されずに固定されることができるため、具現上便利である。例えば、仮想割当リソース単位のパイロットトーンと帯域幅内に割当可能なＢＴＵ及びＳＴＵに含まれるパイロットトーンの一部が対応される場合（他の表現として、仮想割当リソース単位のパイロットトーンの位置と帯域幅内に割当可能なＢＴＵ及びＳＴＵに含まれるパイロットトーンのうち一部のパイロットトーンの位置が対応される場合または仮想割当リソース単位のパイロットトーンの位置セットが帯域幅内に割当可能なＢＴＵ及びＳＴＵに含まれるパイロットトーンのうち一部のパイロットトーンの位置セットに含まれる場合）、トレーニングフィールド（ＬＴＦ（ｌｏｎｇ  ｔｒａｉｎｉｎｇ  ｆｉｅｌｄ））ベースの動作、チャネルトラッキング（ｃｈａｎｎｅｌ  ｔｒａｃｋｉｎｇ）動作の具現が容易になる。
【００９９】
本発明の他の実施例によると、内挿／外挿（ｉｎｔｅｒｐｏｌａｔｉｏｎ／ｅｘｔｒａｐｏｌａｔｉｏｎ）特性を考慮して帯域幅内に割当可能なＢＴＵ及びＳＴＵに含まれる複数のパイロットトーンのうち少なくとも一つ以上のパイロットトーンの位置と、仮想割当リソース単位のパイロットトーンの位置は、同じように設定されることができる。
【０１００】
または、無線ＬＡＮシステムでサポートされるトレーニングフィールドの構造（例えば、４倍のＩＦＦＴに基づいて生成されたＨＥ−ＬＴＦ（ｌｏｎｇ  ｔｒａｉｎｉｎｇ  ｆｉｅｌｄ）構造）を考慮して帯域幅内に割当可能なＢＴＵ及びＳＴＵに含まれる複数のパイロットトーンのうち少なくとも一つ以上のパイロットトーンの位置と、仮想割当リソース単位のパイロットトーンの位置は、同じように設定されることができる。
【０１０１】
同様に、このようなパイロットトーンの位置割当が実行される場合、パイロットの位置が割り当てられるリソース単位の変化によって可変されずに固定されることができるため、具現上便利である。例えば、仮想割当リソース単位のパイロットトーンと帯域幅内に割当可能なＢＴＵ及びＳＴＵに含まれるパイロットトーンの一部が対応される場合（または、仮想割当リソース単位のパイロットトーンの位置と帯域幅内に割当可能なＢＴＵ及びＳＴＵに含まれるパイロットトーンのうち一部のパイロットトーンの位置が対応される場合）、トレーニングフィールド（例えば、ＬＴＦ）ベースの動作、チャネルトラッキング動作の具現が容易になる。
【０１０２】
本発明の他の実施例によると、内挿／外挿特性を考慮して帯域幅内に割当可能なＢＴＵ及びＳＴＵに含まれる複数のパイロットトーンのうち少なくとも一つ以上のパイロットトーンの位置と、仮想割当リソース単位のパイロットトーンの位置は、重なることもできる。
【０１０３】
または、無線ＬＡＮシステムでサポートされるトレーニングフィールドの構造（例えば、４倍のＩＦＦＴに基づいて生成されたＨＥ−ＬＴＦ（ｌｏｎｇ  ｔｒａｉｎｉｎｇ  ｆｉｅｌｄ）構造）を考慮して帯域幅内に割当可能なＢＴＵ及びＳＴＵに含まれる複数のパイロットトーンのうち少なくとも一つ以上のパイロットトーンの位置と、仮想割当リソース単位のパイロットトーンの位置は、重なることもできる。
【０１０４】
図５は、本発明の実施例に係るＰＰＤＵでパイロットトーンを割り当てる方法を示す概念図である。
【０１０５】
図５では、図３及び図４に開示されたパイロットトーンの割当方法を適用したＰＰＤＵが開示される。
【０１０６】
ＰＰＤＵに含まれるフィールドのうち、ＳＴＡに割り当てられたリソースが仮想割当リソースかまたはＢＴＵ及び／またはＳＴＵかに対して知らずにＳＴＡがデコーディングを実行すべきフィールドは、リソース未確定フィールド５００という用語で表現されることができる。それに対し、ＰＰＤＵに含まれるフィールドのうち、ＳＴＡに割り当てられたリソースが仮想割当リソースかまたはＢＴＵ及び／またはＳＴＵかに対して知ってＳＴＡがデコーディングを実行することができるフィールドは、リソース確定フィールド５４０という用語で表現されることができる。
【０１０７】
リソース未確定フィールド５００を送信する仮想割当リソース単位は、仮想割当リソース単位に対応される少なくとも一つのＢＴＵ及び少なくとも一つのＳＴＵの全てのパイロットトーンの位置に対応されるパイロットトーンを含むことができる。具体的な例として、リソース未確定フィールド５００を送信する２４６トーンの仮想割当リソース単位は、２個のＢＴＵ及び５個のＳＴＵに含まれる１８個のパイロットトーンの位置に対応される１８個のパイロットトーンを含むことができる。他の表現として、２４６トーンの仮想割当リソース単位のパイロットトーンのセットは、２４６トーンの仮想割当リソース単位に対応される２個のＢＴＵ及び５個のＳＴＵに含まれる１８個のパイロットトーンのセットと同じである。
【０１０８】
例えば、リソース未確定フィールド５００は、リソース割当（または、スケジューリング）に対する情報を含むシグナルフィールド（例えば、ＨＥ（ｈｉｇｈ  ｅｆｆｉｃｉｅｎｃｙ）−ＳＩＧ（ｓｉｇｎａｌ））５２０の以前に送信されるトレーニングフィールド（もし、ＨＥ−ＬＴＦ（ｌｏｎｇ  ｔｒａｉｎｉｎｇ  ｆｉｅｌｄ）がシグナリングフィールド５２０以前に送信される場合、ＨＥ−ＬＴＦ）であり、このようなトレーニングフィールドを送信する仮想割当リソース単位は、１８個のパイロットトーンを含むことができる。
【０１０９】
リソース確定フィールド５４０を送信する仮想割当リソース単位は、仮想割当リソース単位に対応される少なくとも一つのＢＴＵ及び少なくとも一つのＳＴＵの全てのパイロットトーンのうち一部のパイロットトーンに対応されるパイロットトーンを含むことができる。図２及び図３で詳述したように、リソース確定フィールド５４０を送信する２４６トーンの仮想割当リソース単位は、２個のＢＴＵ及び５個のＳＴＵに含まれる１８個のパイロットトーンのうち８個のパイロットトーンの位置に対応される８個のパイロットトーンを含むことができる。
【０１１０】
例えば、リソース確定フィールド５４０は、リソース割当（または、スケジューリング）に対する情報を含むシグナルフィールド５２０の以後に送信されるデータフィールドであり、このようなデータフィールドを送信する仮想割当リソース単位は、８個のパイロットトーンを含むことができる。
【０１１１】
図６は、本発明の実施例に係るパイロットトーンの割当方法を示す概念図である。
【０１１２】
図６では、単一なＯＦＤＭＡリソース割当構造をサポートするための二つの互いに異なる大きさのリソース単位でパイロット割当が開示される。具体的に、５６トーンのリソース単位（または、ＢＴＵ）６５０、２６トーンのリソース単位（または、ＳＴＵ）６００の各々に対してパイロットトーン及びデータトーンの割当方法が開示される。
【０１１３】
５６トーンのリソース単位６５０に対するパイロットトーンは、既存のＩＥＥＥ８０２．１１ａｃで使われる５６トーンのヌメロロジーに基づくパイロットトーン／データトーンの個数及び割当位置を考慮して決定されることができる。
【０１１４】
既存のＩＥＥＥ８０２．１１ａｃの５６トーンのヌメロロジーに基づくパイロットトーン／データトーンの個数及び割当位置は、ＩＥＥＥ  Ｓｔａｎｄａｒｄ  ｆｏｒ  Ｉｎｆｏｒｍａｔｉｏｎ  ｔｅｃｈｎｏｌｏｇｙ  ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ  ｌｏｃａｌ  ａｎｄ  ｍｅｔｒｏｐｏｌｉｔａｎ  ａｒｅａ  ｎｅｔｗｏｒｋｓ  ｓｐｅｃｉｆｉｃ  ｒｅｑｕｉｒｅｍｅｎｔｓ‘Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）ａｎｄ  Ｐｈｙｓｉｃａｌ  Ｌａｙｅｒ（ＰＨＹ）Ｓｐｅｃｉｆｉｃａｔｉｏｎｓ  Ａｍｅｎｄｍｅｎｔ  ４：Ｅｎｈａｎｃｅｍｅｎｔｓ  ｆｏｒ  Ｖｅｒｙ  Ｈｉｇｈ  Ｔｈｒｏｕｇｈｐｕｔ  ｆｏｒ  Ｏｐｅｒａｔｉｏｎ  ｉｎ  Ｂａｎｄｓ  ｂｅｌｏｗ  ６ＧＨｚの２２．３．１０．１０  Ｐｉｌｏｔ  ｓｕｂｃａｒｒｉｅｒｓに開示されている。
【０１１５】
２６トーンのリソース単位６００に対して既存のＩＥＥＥ８０２．１１ａｈで使われる２６トーンのヌメロロジーに基づくパイロットトーン／データトーンの個数及び割当位置を考慮して決定されることができる。
【０１１６】
既存のＩＥＥＥ８０２．１１ａｈの２６トーンのヌメロロジーに基づくパイロットトーン／データトーンの個数及び割当位置は、ＩＥＥＥ  Ｐ８０２．１１ａｈＴＭ／Ｄ５．０  Ｄｒａｆｔ  Ｓｔａｎｄａｒｄ  ｆｏｒ  Ｉｎｆｏｒｍａｔｉｏｎ  ｔｅｃｈｎｏｌｏｇｙ  ｔｅｌｅ−ｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ  Ｌｏｃａｌ  ａｎｄ  ｍｅｔｒｏｐｏｌｉｔａｎ  ａｒｅａ  ｎｅｔｗｏｒｋ  ｓｐｅｃｉｆｉｃ  ｒｅｑｕｉｒｅｍｅｎｔｓ‘Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）ａｎｄ  Ｐｈｙｓｉｃａｌ  Ｌａｙｅｒ（ＰＨＹ）Ｓｐｅｃｉｆｉｃａｔｉｏｎｓ  Ａｍｅｎｄｍｅｎｔ  ２：Ｓｕｂ  １ＧＨｚ  Ｌｉｃｅｎｓｅ  ＥｘｅｍｐｔＯｐｅｒａｔｉｏｎ’の２４．３．９．１０  Ｐｉｌｏｔ  ｓｕｂｃａｒｒｉｅｒｓに開示されている。
【０１１７】
図６を参照すると、２６トーンのリソース単位６００では、パイロットトーンは［ｘ  ｙ］に位置できる。［ｘ  ｙ］は、パイロットトーン間の間隔が１４トーンを有するように決定されることができる。即ち、［ｘ  ｙ］は、パイロットトーンスペーシングが１４トーンになるように設定されることができる。例えば、特定トーンを基準にして周波数が増加する方向に７番目に位置したトーンが第１のパイロットトーンに定義され、周波数が減少する方向に７番目に位置したトーンが第２のパイロットトーンに定義されることができる。このような場合、特定トーンを基準にして［ｘ  ｙ］は［−７  ＋７］である。
【０１１８】
５６トーンのリソース単位６５０では、パイロットトーンは［ａ  ｘ  ｙ  ｂ］に位置できる。［ａ  ｘ  ｙ  ｂ］は、パイロットトーン間の間隔が１４トーンを有するように決定されることができる。具体的に、ａとｘのパイロットトーン間隔、ｘとｙのパイロットトーン間隔、ｙとｂのパイロットトーン間隔は、１４トーンに該当できる。例えば、５６トーンのリソース単位６５０では、特定トーンを基準にして周波数が増加する方向に７番目及び２１番目に位置したトーンの各々が第１のパイロットトーン及び第２のパイロットトーンに定義され、周波数が減少する方向に７番目及び２１番目に位置したトーンの各々が第３パイロットトーン及び第４パイロットトーンに定義されることができる。このような場合、特定トーンを基準にして［ａ  ｘ  ｙ  ｂ］は［−２１  −７  ＋７  ＋２１］である。
【０１１９】
図７は、本発明の実施例に係るパイロットトーンの割当方法を示す概念図である。
【０１２０】
図７では、単一なＯＦＤＭＡリソース割当構造をサポートするための二つの互いに異なる大きさのリソース単位でパイロット割当が開示される。特に、５６トーンのリソース単位が２個の２６トーンのリソース単位及び４個のレフトオーバートーンに分割されて割り当てられる場合のパイロットトーンの割当が開示される。また、２個の２６トーンのリソース単位及び追加のレフトオーバートーンが結合されて５６トーンのリソース単位で割り当てられる場合のパイロットトーンの割当が開示される。
【０１２１】
５６トーンのリソース単位を分割して生成された２個の２６トーンのリソース単位のパイロットトーンの位置は、５６トーンのリソース単位内にパイロットトーンの位置を考慮して割り当てられることができる。また、２個の２６トーンのリソース単位及び追加のレフトオーバートーンが結合されて５６トーンのリソース単位で割り当てられる場合、５６トーンのリソース単位のパイロットトーンの位置は、５６トーンのリソース単位を構成する２６トーンのリソース単位内のパイロットトーンの位置を考慮して割り当てられることができる。
【０１２２】
図７を参照すると、周波数軸に固定された一つの５６トーンのリソース単位７００が周波数軸に固定された二つの２６トーンのリソース単位７１０、７２０に分割されることができる。他の表現として、周波数軸に固定された５６トーンのリソース単位７００が周波数軸に固定された二つの２６トーンのリソース単位７１０、７２０で仮想的に割り当てられることができる。このようなリソース単位の分割は、複数のＳＴＡに対するリソース割当の必要がある場合に実行されることができる。
【０１２３】
５６トーンのリソース単位７００のパイロットトーンの位置が［ａ  ｘ  ｙ  ｂ］である場合、５６トーンのリソース単位を分割して生成された第１の２６トーンのリソース単位７１０のパイロットトーンの位置は［ａ  ｘ］であり、第２の２６トーンのリソース単位７２０のパイロットトーンの位置は［ｙ  ｂ］である。そのとき、［ａ、ｘ、ｙ、ｂ］は、前述したように、特定トーンを基準にして［−２１、−７、＋７、＋２１］である。即ち、５６トーンのリソース単位７００が分割されて使われる場合にも、５６トーンのリソース単位７００でパイロットスペーシング（ｓｐａｃｉｎｇ）及び／またはパイロット位置は維持されることができる。また、２６トーンのリソース単位７１０、７２０の観点でも［ａ  ｘ］、［ｙ  ｂ］に割り当てられたパイロットトーンに基づいて２６トーンのリソース単位７１０、７２０のパイロットスペーシング及び／またはパイロット位置が維持されることができる。
【０１２４】
即ち、本発明の実施例に係るパイロットトーン割当方法では、５６トーンのリソース単位７００に対する分割が実行される場合にも、一つの５６トーンのリソース単位７００のパイロットスペーシング及びパイロット位置だけでなく、２６トーンのリソース単位７１０、７２０のパイロットスペーシング（ｓｐａｃｉｎｇ）及び／またはパイロット位置が維持されることができる。
【０１２５】
それに対し、２個の２６トーンのリソース単位７１０、７２０及び追加のレフトオーバートーンが結合されて５６トーンのリソース単位７００で割り当てられる場合、２個の２６トーンのリソース単位７１０、７２０のパイロットスペーシング及び／またはパイロット位置が維持されることができる。
【０１２６】
例えば、第１の２６トーンのリソース単位７１０のパイロットトーンの位置は［ａ  ｘ］であり、第２の２６トーンのリソース単位７２０のパイロットトーンの位置は［ｙ  ｂ］である場合、５６トーンのリソース単位７００のパイロットトーンの位置は［ａ  ｘ  ｙ  ｂ］である。個別２６トーンのリソース単位７１０、７２０の観点で見ると、［ａ  ｘ］＝［−７  ＋７］であり、［ｂ  ｙ］＝［−７  ＋７］である。また、５６トーンのリソース単位７００の観点で見ると、［ａ  ｘ  ｙ  ｂ］は［−２１、−７、＋７、＋２１］である。
【０１２７】
即ち、２６トーンのリソース単位７１０、７２０が結合されて５６トーンのリソース単位７００を構成する場合にも、２６トーンのリソース単位７１０、７２０のパイロットスペーシング及びパイロット位置だけでなく、５６トーンのリソース単位７００のパイロットスペーシング及び／またはパイロット位置が維持されることができる。
【０１２８】
図８は、本発明の実施例に係る無線リソースのスケジューリング方法を示す流れ図である。
【０１２９】
図８では、ＡＰがＢＴＵ及び／またはＳＴＵに基づいて無線リソースをスケジューリングする方法が開示される。
【０１３０】
ＡＰが帯域幅上で複数のＳＴＡと通信のための複数の無線リソースの各々をスケジューリングする（ステップＳ８００）。
【０１３１】
例えば、複数の無線リソースの各々は、第１のリソース単位、第２のリソース単位、第１のリソース単位及び第２のリソース単位の組み合わせまたは仮想割当リソース単位のうち一つである。
【０１３２】
仮想割当リソース単位は、一つのインターリーバによりインターリービングが可能な複数のデータトーンを含む少なくとも一つの第１のリソース単位及び少なくとも一つの第２のリソース単位の組み合わせである。
【０１３３】
複数の無線リソースのうち少なくとも一つの無線リソースが仮想割当リソース単位である場合、仮想割当リソース単位に含まれる複数の第１のパイロットトーンの位置のセットは、仮想割当リソース単位を構成する少なくとも一つの第１のリソース単位及び少なくとも一つの第２のリソース単位に含まれる複数の第２のパイロットトーンの位置のセットに含まれることができる。
【０１３４】
前述したように、仮想割当リソース単位を構成する少なくとも一つの第１のリソース単位の各々は、５２トーンのデータトーン及び４個の第２のパイロットトーンを含む５６トーンに対応されるＢＴＵである。４個の第２のパイロットトーンは、特定トーンを基準にして偶数番目に位置した２個の偶数インデックスパイロットトーン及び特定トーンを基準にして奇数番目に位置した２個の奇数インデックスパイロットトーンを含むことができる。
【０１３５】
また、仮想割当リソース単位を構成する少なくとも一つの第２のリソース単位の各々は、２４トーンのデータトーン及び２個の第２のパイロットトーンを含む２６トーンに対応されるＳＴＵである。２個の第２のパイロットトーンは、特定トーンを基準にして偶数番目に位置した１個の偶数インデックスパイロットトーン及び特定トーンを基準にして奇数番目に位置した１個の奇数インデックスパイロットトーンを含むことができる。
【０１３６】
前記のような場合、仮想割当リソース単位に含まれる複数の第１のパイロットトーンの位置は、仮想割当リソース単位を構成する少なくとも一つの第１のリソース単位の各々の２個の偶数インデックスパイロットトーンの位置及び仮想割当リソース単位を構成する少なくとも一つの第２のリソース単位のうち一つの第２のリソース単位を除外した残りの第２のリソース単位の各々の１個の偶数インデックスパイロットトーンの位置と同じである。
【０１３７】
または、仮想割当リソース単位に含まれる複数の第１のパイロットトーンの位置は、仮想割当リソース単位を構成する少なくとも一つの第１のリソース単位の各々の２個の奇数インデックスパイロットトーンの位置及び仮想割当リソース単位を構成する少なくとも一つの第２のリソース単位のうち一つの第２のリソース単位を除外した残りの第２のリソース単位の各々の１個の奇数インデックスパイロットトーンの位置と同じである。
【０１３８】
また、本発明の実施例によると、仮想割当リソース単位を介してリソース未確定フィールドが送信される場合、仮想割当リソース単位に含まれる複数の第１のパイロットトーンの位置と、仮想割当リソース単位を構成する少なくとも一つの第１のリソース単位及び少なくとも一つの第２のリソース単位に含まれる複数の第２のパイロットトーンの位置は、全て同じである。
【０１３９】
また、本発明の実施例によると、仮想割当リソース単位を介してリソース確定フィールドが送信される場合、仮想割当リソース単位に含まれる複数の第１のパイロットトーンの位置と、仮想割当リソース単位を構成する少なくとも一つの第１のリソース単位及び少なくとも一つの第２のリソース単位に含まれる複数の第２のパイロットトーンのうち一部の第２のパイロットトーンの位置は、同じである。
【０１４０】
リソース未確定フィールドは、仮想割当リソース単位に対する割当情報を含むシグナルフィールドの以前に送信されるフィールドであり、リソース確定フィールドは、シグナルフィールドの以後に送信されるフィールドである。
【０１４１】
ＡＰが複数の無線リソースの各々を介して複数のＳＴＡの各々に複数のダウンリンクデータの各々を送信する（ステップＳ８１０）。
【０１４２】
ステップＳ８００によりスケジューリングされた複数の無線リソースの各々を介して複数のＳＴＡの各々に複数のダウンリンクデータ（または、ダウンリンクＰＰＤＵ）を送信することができる。
【０１４３】
図９は、本発明の実施例に係るＤＬ  ＭＵ  ＰＰＤＵフォーマットを示す概念図である。
【０１４４】
図９では、本発明の実施例に係るＡＰによりＯＦＤＭＡに基づいて送信されるＤＬ  ＭＵ  ＰＰＤＵフォーマットが開示される。
【０１４５】
図９を参照すると、ＤＬ  ＭＵ  ＰＰＤＵのＰＰＤＵヘッダは、Ｌ−ＳＴＦ（ｌｅｇａｃｙ−ｓｈｏｒｔ  ｔｒａｉｎｉｎｇ  ｆｉｅｌｄ）、Ｌ−ＬＴＦ（ｌｅｇａｃｙ−ｌｏｎｇ  ｔｒａｉｎｉｎｇ  ｆｉｅｌｄ）、Ｌ−ＳＩＧ（ｌｅｇａｃｙ−ｓｉｇｎａｌ）、ＨＥ−ＳＩＧ  Ａ（ｈｉｇｈ  ｅｆｆｉｃｉｅｎｃｙ−ｓｉｇｎａｌ  Ａ）、ＨＥ−ＳＩＧ  Ｂ（ｈｉｇｈ  ｅｆｆｉｃｉｅｎｃｙ−ｓｉｇｎａｌ−Ｂ）、ＨＥ−ＳＴＦ（ｈｉｇｈ  ｅｆｆｉｃｉｅｎｃｙ−ｓｈｏｒｔ  ｔｒａｉｎｉｎｇ  ｆｉｅｌｄ）、ＨＥ−ＬＴＦ（ｈｉｇｈ  ｅｆｆｉｃｉｅｎｃｙ−ｌｏｎｇ  ｔｒａｉｎｉｎｇ  ｆｉｅｌｄ）、データフィールド（または、ＭＡＣペイロード）を含むことができる。ＰＨＹヘッダにおいて、Ｌ−ＳＩＧまではレガシ部分（ｌｅｇａｃｙ  ｐａｒｔ）と、Ｌ−ＳＩＧ以後のＨＥ（ｈｉｇｈ  ｅｆｆｉｃｉｅｎｃｙ）部分（ＨＥ  ｐａｒｔ）と、に区分されることができる。
【０１４６】
Ｌ−ＳＴＦ９００は、短いトレーニングＯＦＤＭシンボル（ｓｈｏｒｔ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＳＴＦ９００は、フレーム探知（ｆｒａｍｅ  ｄｅｔｅｃｔｉｏｎ）、ＡＧＣ（ａｕｔｏｍａｔｉｃ  ｇａｉｎ  ｃｏｎｔｒｏｌ）、ダイバーシティ探知（ｄｉｖｅｒｓｉｔｙ  ｄｅｔｅｃｔｉｏｎ）、コース周波数／時間同期化（ｃｏａｒｓｅ  ｆｒｅｑｕｅｎｃｙ／ｔｉｍｅ  ｓｙｎｃｈｒｏｎｉｚａｔｉｏｎ）のために使われることができる。
【０１４７】
Ｌ−ＬＴＦ９１０は、長いトレーニングＯＦＤＭシンボル（ｌｏｎｇ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＬＴＦ９１０は、ファイン周波数／時間同期化（ｆｉｎｅ  ｆｒｅｑｕｅｎｃｙ／ｔｉｍｅ  ｓｙｎｃｈｒｏｎｉｚａｔｉｏｎ）及びチャネル予測のために使われることができる。
【０１４８】
Ｌ−ＳＩＧ９２０は、制御情報を送信するために使われることができる。Ｌ−ＳＩＧ９２０は、データ送信率（ｒａｔｅ）、データ長さ（ｌｅｎｇｔｈ）に対する情報を含むことができる。
【０１４９】
ＨＥ−ＳＩＧ  Ａ９３０は、ＤＬ  ＭＵ  ＰＰＤＵを受信するＳＴＡを指示するための情報を含むこともできる。例えば、ＨＥ−ＳＩＧ  Ａ９３０は、ＰＰＤＵを受信する特定ＳＴＡ（または、ＡＰ）の識別子、特定ＳＴＡのグループを指示するための情報を含むことができる。また、ＨＥ−ＳＩＧ  Ａ９３０は、ＤＬ  ＭＵ  ＰＰＤＵがＯＦＤＭＡまたはＭＩＭＯに基づいて送信される場合、ＳＴＡのＤＬ  ＭＵ  ＰＰＤＵの受信のためのリソース割当情報も含むことができる。
【０１５０】
また、ＨＥ−ＳＩＧ  Ａ９３０は、ＢＳＳ識別情報のためのカラービット（ｃｏｌｏｒ  ｂｉｔｓ）情報、帯域幅（ｂａｎｄｗｉｄｔｈ）情報、テールビット（ｔａｉｌ  ｂｉｔ）、ＣＲＣビット、ＨＥ−ＳＩＧ  Ｂ９４０に対するＭＣＳ（ｍｏｄｕｌａｔｉｏｎ  ａｎｄ  ｃｏｄｉｎｇ  ｓｃｈｅｍｅ）情報、ＨＥ−ＳＩＧ  Ｂ９４０のためのシンボル個数情報、ＣＰ（ｃｙｃｌｉｃ  ｐｒｅｆｉｘ）（または、ＧＩ（ｇｕａｒｄ  ｉｎｔｅｒｖａｌ））長さ情報を含むこともできる。
【０１５１】
ＨＥ−ＳＩＧ  Ｂ９４０は、各ＳＴＡに対するＰＳＤＵ（Ｐｈｙｓｉｃａｌ  ｌａｙｅｒ  ｓｅｒｖｉｃｅ  ｄａｔａ  ｕｎｉｔ）の長さＭＣＳに対する情報及びテールビットなどを含むことができる。また、ＨＥ−ＳＩＧ  Ｂ９４０は、ＰＰＤＵを受信するＳＴＡに対する情報、ＯＦＤＭＡベースのリソース割当（ｒｅｓｏｕｒｃｅ  ａｌｌｏｃａｔｉｏｎ）情報（または、ＭＵ−ＭＩＭＯ情報）を含むこともできる。ＨＥ−ＳＩＧ  Ｂ９４０にＯＦＤＭＡベースのリソース割当情報（または、ＭＵ−ＭＩＭＯ関連情報）が含まれる場合、ＨＥ−ＳＩＧ  Ａ９３０にはリソース割当情報が含まれない場合もある。
【０１５２】
ＨＥ−ＳＩＧ  Ａ９３０またはＨＥ−ＳＩＧ  Ｂ９４０は、複数のＳＴＡの各々に対するリソース割当情報（または、仮想リソース割当情報）、ＢＴＵまたはＳＴＵのみを使用したリソース割当が実行されるかどうかに対する情報のようなリソース割当情報を含むことができる。
【０１５３】
ＤＬ  ＭＵ  ＰＰＤＵ上でＨＥ−ＳＩＧ  Ｂ９４０の以前フィールドは、互いに異なる送信リソースの各々でデュプリケートされた形態で送信されることができる。ＨＥ−ＳＩＧ  Ｂ９４０の場合、一部のリソース単位（例えば、リソース単位１、リソース単位２）で送信されるＨＥ−ＳＩＧ  Ｂ９４０は、個別的な情報を含む独立的なフィールドであり、残りリソース単位（例えば、リソース単位３、リソース単位４）で送信されるＨＥ−ＳＩＧ  Ｂ９４０は、他のリソース単位（例えば、リソース単位１、リソース単位２）で送信されるＨＥ−ＳＩＧ  Ｂ９４０をデュプリケートしたフォーマットである。または、ＨＥ−ＳＩＧ  Ｂ９４０は、全体送信リソース上でエンコーディングされた形態で送信されることができる。ＨＥ−ＳＩＧ  Ｂ９４０以後のフィールドは、ＰＰＤＵを受信する複数のＳＴＡの各々のための個別情報を含むことができる。
【０１５４】
ＨＥ−ＳＴＦ９５０は、ＭＩＭＯ（ｍｕｌｔｉｐｌｅ  ｉｎｐｕｔ  ｍｕｌｔｉｐｌｅ  ｏｕｔｐｕｔ）環境またはＯＦＤＭＡ環境で自動利得制御推定（ａｕｔｏｍａｔｉｃ  ｇａｉｎ  ｃｏｎｔｒｏｌ  ｅｓｔｉｍａｔｉｏｎ）を向上させるために使われることができる。
【０１５５】
具体的に、ＳＴＡ１は、ＡＰからリソース単位１を介して送信されるＨＥ−ＳＴＦ１を受信し、同期化、チャネルトラッキング／予測、ＡＧＣを実行してデータフィールド１をデコーディングすることができる。同様に、ＳＴＡ２は、ＡＰからリソース単位２を介して送信されるＨＥ−ＳＴＦ２を受信し、同期化、チャネルトラッキング／予測、ＡＧＣを実行してデータフィールド２をデコーディングすることができる。ＳＴＡ３は、ＡＰからリソース単位３を介して送信されるＨＥ−ＳＴＦ３を受信し、同期化、チャネルトラッキング／予測、ＡＧＣを実行してデータフィールド３をデコーディングすることができる。ＳＴＡ４は、ＡＰからリソース単位４を介して送信されるＨＥ−ＳＴＦ４を受信し、同期化、チャネルトラッキング／予測、ＡＧＣを実行してデータフィールド４をデコーディングすることができる。
【０１５６】
ＨＥ−ＬＴＦ９６０は、ＭＩＭＯ環境またはＯＦＤＭＡ環境でチャネルを推定するために使われることができる。
【０１５７】
ＨＥ−ＳＴＦ９５０及びＨＥ−ＳＴＦ９５０以後のフィールドに適用されるＩＦＦＴの大きさとＨＥ−ＳＴＦ９５０以前のフィールドに適用されるＩＦＦＴの大きさは、互いに異なる。例えば、ＨＥ−ＳＴＦ９５０及びＨＥ−ＳＴＦ９５０以後のフィールドに適用されるＩＦＦＴの大きさは、ＨＥ−ＳＴＦ９５０以前のフィールドに適用されるＩＦＦＴの大きさより４倍大きい。ＳＴＡは、ＨＥ−ＳＩＧ  Ａ９３０を受信し、ＨＥ−ＳＩＧ  Ａ９３０に基づいてダウンリンクＰＰＤＵの受信指示を受けることができる。このような場合、ＳＴＡは、ＨＥ−ＳＴＦ９５０及びＨＥ−ＳＴＦ９５０以後フィールドから変更されたＦＦＴサイズに基づいてデコーディングを実行することができる。それに対し、ＳＴＡがＨＥ−ＳＩＧ  Ａ９３０に基づいてダウンリンクＰＰＤＵの受信指示を受けていない場合、ＳＴＡは、デコーディングを中断し、ＮＡＶ（ｎｅｔｗｏｒｋ  ａｌｌｏｃａｔｉｏｎ  ｖｅｃｔｏｒ）を設定することができる。ＨＥ−ＳＴＦ９５０のＣＰ（ｃｙｃｌｉｃ  ｐｒｅｆｉｘ）は、他のフィールドのＣＰより大きい大きさを有することができ、このようなＣＰ区間の間に、ＳＴＡは、ＦＦＴサイズを変化させてダウンリンクＰＰＤＵに対するデコーディングを実行することができる。
【０１５８】
ＡＰ（ａｃｃｅｓｓ  ｐｏｉｎｔ）が全体帯域幅上で複数のＳＴＡ（ｓｔａｔｉｏｎ）の各々のための複数の無線リソースの各々を割り当て、複数のＳＴＡの各々に複数の無線リソースの各々を介してＰＰＤＵ（ｐｈｙｓｉｃａｌ  ｐｒｏｔｏｃｏｌ  ｄａｔａ  ｕｎｉｔ）を送信することができる。複数のＳＴＡの各々に対する複数の無線リソースの各々の割当に対する情報は、前述したように、ＨＥ−ＳＩＧ  Ａ９３０またはＨＥ−ＳＩＧ  Ｂ９４０に含まれることができる。
【０１５９】
そのとき、複数の無線リソースの各々は、周波数軸上で互いに異なる大きさで定義された複数の無線リソース単位（ＢＴＵ、ＳＴＵ）の組み合わせである。前述したように、リソース割当組み合わせは、帯域幅の大きさによる全体可用なトーン上で割当可能な少なくとも一つのリソース単位の組み合わせである。
【０１６０】
図１０は、本発明の実施例に係るＵＬ  ＭＵ  ＰＰＤＵの送信を示す概念図である。
【０１６１】
図１０を参照すると、複数のＳＴＡは、ＡＰにＵＬ  ＭＵ  ＯＦＤＭＡに基づいてＵＬ  ＭＵ  ＰＰＤＵを送信することができる。
【０１６２】
Ｌ−ＳＴＦ１０００、Ｌ−ＬＴＦ１０１０、Ｌ−ＳＩＧ１０２０、ＨＥ−ＳＩＧ  Ａ１０３０、ＨＥ−ＳＩＧ  Ｂ１０４０は、図８に開示された役割を遂行することができる。シグナルフィールド（Ｌ−ＳＩＧ１０２０、ＨＥ−ＳＩＧ  Ａ１０３０、ＨＥ−ＳＩＧ  Ｂ１０４０）に含まれる情報は、受信したＤＬ  ＭＵ  ＰＰＤＵのシグナルフィールドに含まれる情報に基づいて生成されることができる。
【０１６３】
ＳＴＡ１は、ＨＥ−ＳＩＧ  Ｂ１０４０までは全体帯域幅を介してアップリンク送信を実行し、ＨＥ−ＳＴＦ１０５０以後からは割り当てられた帯域幅を介してアップリンク送信を実行することができる。ＳＴＡ１は、割り当てられた帯域幅（例えば、リソース単位１）を介してアップリンクフレームをＵＬ  ＭＵ  ＰＰＤＵに基づいて伝達することができる。ＡＰは、ＤＬ  ＭＵ  ＰＰＤＵ（例えば、ＨＥ−ＳＩＧ  Ａ／Ｂ）に基づいて複数のＳＴＡの各々のアップリンクリソースを割り当てることができ、複数のＳＴＡの各々は、アップリンクリソースの割当を受けてＵＬ  ＭＵ  ＰＰＤＵを送信することができる。
【０１６４】
図１１は、本発明の実施例が適用されることができる無線装置を示すブロック図である。
【０１６５】
図１１を参照すると、無線装置１１００は、前述した実施例を具現することができるＳＴＡであり、ＡＰ１１００または非ＡＰ  ＳＴＡ（ｎｏｎ−ＡＰ  ｓｔａｔｉｏｎ）（または、ＳＴＡ）１１５０である。
【０１６６】
ＡＰ１１００は、プロセッサ１１１０、メモリ１１２０及びＲＦ部（ｒａｄｉｏ  ｆｒｅｑｕｅｎｃｙ  ｕｎｉｔ）１１３０を含む。
【０１６７】
ＲＦ部１１３０は、プロセッサ１１１０と連結して無線信号を送信／受信することができる。
【０１６８】
プロセッサ１１１０は、本発明で提案された機能、過程及び／または方法を具現することができる。例えば、プロセッサ１１１０は、前述した本発明の実施例に係るＡＰの動作を実行するように具現されることができる。プロセッサは、図１乃至図１０の実施例で開示したＡＰの動作を実行することができる。
【０１６９】
例えば、プロセッサ１１１０は、帯域幅上で複数のＳＴＡ（ｓｔａｔｉｏｎ）との通信のための複数の無線リソースの各々をスケジューリングし、複数の無線リソースの各々を介して前記複数のＳＴＡの各々に複数のダウンリンクデータの各々を送信するように具現されることができる。
【０１７０】
複数の無線リソースのうち少なくとも一つの無線リソースは、仮想割当リソース単位であり、仮想割当リソース単位は、一つのインターリーバによりインターリービングが可能な複数のデータトーンを含む少なくとも一つの第１のリソース単位（例えば、ＢＴＵ）及び少なくとも一つの第２のリソース単位（例えば、ＳＴＵ）の組み合わせである。
【０１７１】
仮想割当リソース単位に含まれる複数の第１のパイロットトーンの位置のセットは、仮想割当リソース単位を構成する少なくとも一つの第１のリソース単位及び少なくとも一つの第２のリソース単位に含まれる複数の第２のパイロットトーンの位置のセットに含まれることができる。
【０１７２】
ＳＴＡ１１５０は、プロセッサ１１６０、メモリ１１７０及びＲＦ部（ｒａｄｉｏ  ｆｒｅｑｕｅｎｃｙ  ｕｎｉｔ）１１８０を含む。
【０１７３】
ＲＦ部１１８０は、プロセッサ１１６０と連結して無線信号を送信／受信することができる。
【０１７４】
プロセッサ１１６０は、本発明で提案された機能、過程及び／または方法を具現することができる。例えば、プロセッサ１１６０は、前述した本発明の実施例に係るＳＴＡの動作を実行するように具現されることができる。プロセッサは、図１乃至図１０の実施例でＳＴＡの動作を実行することができる。
【０１７５】
例えば、プロセッサ１１６０は、リソーススケジューリング（または、リソース割当）情報を含むシグナルフィールド以前に送信されるリソース未確定フィールドが仮想割当リソース単位上で送信される場合、複数の第１のパイロットトーンに基づいてリソース未確定フィールドに対するデコーディングを実行するように具現されることができる。そのとき、複数の第１のパイロットトーンの位置は、仮想割当リソース単位を構成する少なくとも一つの第１のリソース単位及び少なくとも一つの第２のリソース単位の組み合わせの全てのパイロットトーンの位置と同じである。
【０１７６】
また、プロセッサ１１６０は、リソーススケジューリング（または、リソース割当）情報を含むシグナルフィールド以後に送信されるリソース確定フィールドが仮想割当リソース単位上で送信される場合、複数の第２のパイロットトーンに基づいてリソース確定フィールドに対するデコーディングを実行するように具現されることができる。そのとき、複数の第２のパイロットトーンの位置は、仮想割当リソース単位を構成する少なくとも一つの第１のリソース単位及び少なくとも一つの第２のリソース単位の組み合わせの全てのパイロットトーンのうち一部のパイロットトーンの位置と同じである。
【０１７７】
プロセッサ１１１０、１１６０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ１１２０、１１７０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部１１３０、１１８０は、無線信号を送信及び／または受信する一つ以上のアンテナを含むことができる。
【０１７８】
実施例がソフトウェアで具現される時、前述した技法は、前述した機能を遂行するモジュール（過程、機能など）で具現されることができる。モジュールは、メモリ１１２０、１１７０に格納され、プロセッサ１１１０、１１６０により実行されることができる。メモリ１１２０、１１７０は、プロセッサ１１１０、１１６０の内部または外部にあり、よく知られた多様な手段でプロセッサ１１１０、１１６０と連結されることができる。
【図１】
0006407421.tif 000003
【図２】
0006407421.tif 000004
【図３】
0006407421.tif 000005
【図４】
0006407421.tif 000006
【図５】
0006407421.tif 000007
【図６】
0006407421.tif 000008
【図７】
0006407421.tif 000009
【図８】
0006407421.tif 000010
【図９】
0006407421.tif 000011
【図１０】
0006407421.tif 000012
【図１１】
0006407421.tif 000013